(57)【要約】      （修正有）【課題】痕跡を残さずにケースを開放することができず、かつ、再封止が可能であるとともに、制御基板が損傷することがない基板収納ケースを提供する。【解決手段】ケース本体２０１に設けられる第１被固着部２１２と、ケースカバー２０２に設けられる第２被固着部２５５と、基板収納ケース２００を破壊するかもしくは連接部２５７を切断しない限り制御基板３１の封止状態を解除することができないワンウェイネジ２８０と、制御基板の封止状態を解除した後、再度制御基板の封止状態を実現する予備用ワンウェイネジ２８１とを備え、第１被固着部が設けられる一側縁にから外側に向けて膨出する膨出部２０８ａを形成する。該膨出部は、該制御基板が収納される収納空間Ｓ１と連通する膨出空間Ｓ２を形成するとともに、該膨出空間に予備用ワンウェイネジを収納可能なネジ収納部２０９を設けた。【選択図】図７
2008093297.tif 000002
【特許請求の範囲】
【請求項１】
ケース本体とケースカバーとからなり、遊技機に設けられる制御基板を封止状態で内部に収納可能な基板収納ケースであって、
前記ケース本体または前記ケースカバーのうち、一方の一側縁より連接部を介して外方に延設される複数の第１被固着部と、
他方の一側縁に、前記複数の第１被固着部それぞれに対応して設けられる複数の第２被固着部と、
前記第１被固着部と前記第２被固着部とを固着する部材であって、前記基板収納ケースを破壊するかもしくは前記連接部を切断しない限り前記制御基板の封止状態を解除することができない状態とするために、前記第１被固着部と前記第２被固着部とを固着する固着部材と、
前記制御基板の封止状態を解除した後、再度前記制御基板の封止状態を実現する際に使用する予備用固着部材と、
を備え、
前記ケース本体または前記ケースカバーの一方に、前記第１被固着部または前記第２被固着部が設けられる前記一側縁において外側に向けて膨出する膨出部を形成するとともに、該膨出部は、前記制御基板の封止状態において該制御基板が収納される収納空間と連通する膨出空間を形成するとともに、該膨出空間に前記予備用固着部材を収納可能な予備用固着部材収納部を設けた、
ことを特徴とする基板収納ケース。
【請求項２】
前記ケース本体またはケースカバーのうち一方に、前記予備用固着部材収納部が設けられているとともに、他方の内面所定箇所には、前記制御基板の封止状態において前記予備封止部材収納部からの前記予備用固着部材の逸脱を当接規制する規制部が、前記予備用固着部材収納部における前記予備用固着部材を収納可能な収納口に向けて延設されている、
ことを特徴とする請求項１に記載の基板収納ケース。
【請求項３】
前記予備用固着部材収納部は、前記制御基板の封止状態において該制御基板における電子部品及びコネクタが実装される実装面を上面視した場合に該制御基板と重合しない位置に配設されている、
ことを特徴とする請求項１または２に記載の基板収納ケース。
【請求項４】
前記制御基板は、該制御基板の封止状態において前記膨出部内に張り出さないように設けられている、
ことを特徴とする請求項１〜３のいずれかに記載の基板収納ケース。
【請求項５】
前記ケース本体及び前記ケースカバーは、前記第１被固着部または前記第２被固着部が設けられた一側縁と対向する対向一側縁同士が互いに回動自在に枢支されており、前記制御基板の封止状態を解除した状態において前記対向一側縁を中心として回動可能となる、
ことを特徴とする請求項１〜４のいずれかに記載の基板収納ケース。
【請求項６】
前記予備用固着部材は、前記予備用固着部材収納部の収納口を介して内部に挿入される挿入部と、該挿入部の一端に設けられる頭部と、から構成され、
前記予備用固着部材収納部は、該予備用固着部材収納部に前記予備用固着部材を収納した状態において、前記頭部が前記収納口の外部に突出した状態で保持されるように構成されている、
ことを特徴とする請求項１〜５のいずれかに記載の基板収納ケース。
【請求項７】
前記制御基板は、電子部品及びコネクタが実装される実装面と該実装面と反対側の裏面とを有し、
前記ケースカバーは、前記コネクタに対応する箇所に、該コネクタの接続部をケース外部に開放するためのコネクタ用開口が形成されるとともに、前記制御基板を取り付け可能に構成され、
前記制御基板は、前記実装面を前記ケースカバーにより被覆し、かつ、前記裏面を前記ケース本体に対向させた状態で前記基板収納ケースの内部に封止状態で収納される、
ことを特徴とする請求項１〜６のいずれかに記載の基板収納ケース。
【発明の詳細な説明】
【技術分野】
【０００１】
本発明は、ケース本体とケースカバーとからなり、遊技機に設けられる制御基板を封止状態で内部に収納可能な基板収納ケースに関する。
【背景技術】
【０００２】
従来、パチンコ機やスロットマシン等の遊技機には、遊技の制御を行う遊技制御基板等、多数の制御基板が設けられており、これら制御基板には、ＣＰＵ、ＲＡＭ、ＲＯＭ等の電子素子が多数実装されている。遊技動作を制御するプログラムは、遊技制御基板に実装されたＲＯＭに格納されており、該ＲＯＭを交換することにより遊技内容を容易に変更できるため、この種の遊技制御基板は、通常、ケース本体とケースカバーとからなる基板収納ケース内に収納した状態で遊技機に設けられる。特にこの基板収納ケースは、ケースカバーを開放した際にはその痕跡が残るように、制御基板を収納した状態でケース本体とケースカバーとを封止できるようになっており、これによりケースカバーの開放を防止してＲＯＭの交換等の不正行為を抑制している。
【０００３】
一方、このような制御基板は、不具合による交換や検査等に応じて、ケースカバーを開放して制御基板を取り出すことがあるため、ケースカバーを開放した後においても、再度封止状態とすることができる基板収納ケースが多数提案されている。
【０００４】
この種の基板収納ケースとして、例えばケース本体とケースカバーとを固着するための固着部が複数形成され、これら固着部をワンウェイネジ等の固着部材により固着することにより封止状態とすることができるとともに、固着部材により固着された固着部をケース本体またはケースカバーから切断するなどして封止状態を解除した後、該切断した固着部とは別の固着部を固着して再度封止状態とすることができるようにしたものが提案されている。
【０００５】
また、上記固着部がケース本体及びケースカバーから突設されたものにおいて、例えば過って基板収納ケースを落下したときでも、固着部が簡単に屈曲分離しないように、ケースカバーの四隅に破損防止凸部を形成したものがある（例えば、特許文献１参照）。
【０００６】
また、これら再封止可能な基板収納ケースにおいては、２回目以降の固着の際に新たな固着部材が必要となるため、再封止に用いる予備用固着部材を、封止解除状態においてケース本体側に設けられた収納部に収納及び取り出しできるようにしたものがある（例えば、特許文献２〜４参照）。
【０００７】
【特許文献１】特開平９−２０１４４９号公報（第７頁、第６図）
【特許文献２】特開２００５−２１８８８３号公報（第８頁、第８（ｂ）図）
【特許文献３】特開２００１−３４７０２５号公報（第３頁、第５図）
【特許文献４】特開平１０−２９０８７０号公報（第３頁、第４図）
【発明の開示】
【発明が解決しようとする課題】
【０００８】
しかしながら、上記特許文献１に記載の基板収納ケースでは、ケースカバーの四隅に形成した破損防止凸部は、単に固着部の保護を目的に形成されたものであるため、それ以外に有効な利用方法はなかった。
【０００９】
また、上記特許文献２〜４に記載の基板収納ケースでは、予備用固着部材を内部に収納しておくことはできるが、制御基板を内部に収納または取り出す際に、予備用固着部材及び予備用固着部材収納部が邪魔になることがあった。
【００１０】
本発明は、このような問題点に着目してなされたものであり、痕跡を残さずにケースを開放することができず、かつ、再封止が可能であるとともに、固着部の意図しない切断等を防止することができる基板収納ケースを提供することを目的とする。
【課題を解決するための手段】
【００１１】
上記課題を解決するために、本発明の請求項１に記載の基板収納ケースは、
ケース本体（２０１）とケースカバー（２０２）とからなり、遊技機（パチンコ機１）に設けられる制御基板（遊技制御基板３１）を封止状態で内部に収納可能な基板収納ケース（２００，２００’、２００’’）であって、
前記ケース本体または前記ケースカバーのうち、一方の一側縁（側壁２３０）より連接部（２５７）を介して外方に延設される複数の第１被固着部（筒状部２５６及び連接部２５７からなる被固着部２５５ａ〜２５５ｄ）と、
他方の一側縁（側壁２０３）に、前記複数の第１被固着部それぞれに対応して設けられる複数の第２被固着部（ネジ孔２１１ａ〜２１１ｄ、固着片２１２ａ、筒状部２１２ｂ）と、
前記第１被固着部と前記第２被固着部とを固着する部材であって、前記基板収納ケースを破壊するかもしくは前記連接部を切断しない限り前記制御基板の封止状態を解除することができない状態とするために、前記第１被固着部と前記第２被固着部とを固着する固着部材（ワンウェイネジ２８０）と、
前記制御基板の封止状態を解除した後、再度前記制御基板の封止状態を実現する際に使用する予備用固着部材（予備用ワンウェイネジ２８１）と、
を備え、
前記ケース本体または前記ケースカバーの一方に、前記第１被固着部または前記第２被固着部が設けられる前記一側縁において外側に向けて膨出する膨出部（２０８ａ）を形成するとともに、該膨出部は、前記制御基板の封止状態において該制御基板が収納される収納空間と連通する膨出空間（Ｓ２）を形成するとともに、該膨出空間に前記予備用固着部材を収納可能な予備用固着部材収納部（ネジ収納部２０９）を設けた、
ことを特徴としている。
この特徴によれば、複数のうち少なくとも一対の第１被固着部及び第２被固着部同士を固着部材により固着することで制御基板を封止状態とすることができるとともに、基板収納ケースを破壊するかもしくは固着された第１被固着部の連接部を切断することで、封止状態を解除してケースを開放することができる。さらに切断部を切断するなどして封止状態を解除した後でも、未使用の一対の第１被固着部及び第２被固着部同士を予備用固着部材により固着することで、再度制御基板を封止状態とすることができる。
また、第１被固着部及び第２被固着部の側方に膨出部が形成されることにより、過って基板収納ケースを落下させた場合等においても、第１被固着部及び第２被固着部が容易に破損することが防止されるとともに、膨出部の内部に形成された膨出空間内に設けられた予備用固着部材収納部に予備用固着部材を収納しておくことができるため、膨出部を有効に利用することができるばかりか、制御基板を内部に収納または取り出す際に予備用固着部材が邪魔になることがないように収納しておくことができる。
【００１２】
本発明の請求項２に記載の基板収納ケースは、請求項１に記載の基板収納ケースであって、
前記ケース本体（２０１）またはケースカバー（２０２）のうち一方に、前記予備用固着部材収納部（ネジ収納部２０９）が設けられているとともに、他方の内面所定箇所（上壁裏面２５４）には、前記制御基板の封止状態において前記予備封止部材収納部からの前記予備用固着部材の逸脱を当接規制する規制部（ネジ規制用リブ２５３）が、前記予備用固着部材収納部における前記予備用固着部材を収納可能な収納口（挿入孔２０９ｃの上面開口）に向けて延設されている、
ことを特徴としている。
この特徴によれば、規制部はケースカバーまたはケース本体の内面所定箇所から延設されていることで、予備用固着部材収納部の配設位置がケースカバーやケース本体の形状により制限されたり、あるいはケースカバーやケース本体の形状を予備用固着部材収納部の配設位置に合わせて形成する必要がないので、基板収納ケースの設計が煩雑になることを回避できる。
【００１３】
本発明の請求項３に記載の基板収納ケースは、請求項１または２に記載の基板収納ケースであって、
前記予備用固着部材収納部（ネジ収納部２０９）は、前記制御基板（遊技制御基板３１）の封止状態において該制御基板における電子部品及びコネクタが実装される実装面を上面視した場合に該制御基板と重合しない位置に配設されている、
ことを特徴としている。
この特徴によれば、予備用固着部材の収納及び取り出しの際に制御基板と干渉することがない。
【００１４】
本発明の請求項４に記載の基板収納ケースは、請求項１〜３のいずれかに記載の基板収納ケースであって、
前記制御基板（遊技制御基板３１）は、該制御基板の封止状態において前記膨出部（２０８ａ）内（膨出空間Ｓ２）に張り出さないように設けられている、
ことを特徴としている。
この特徴によれば、予備用固着部材の収納及び取り出しの際に制御基板と干渉することがない。
【００１５】
本発明の請求項５に記載の基板収納ケースは、請求項１〜４のいずれかに記載の基板収納ケースであって、
前記ケース本体（２０１）及び前記ケースカバー（２０２）は、前記第１被固着部（筒状部２５６及び連接部２５７からなる被固着部２５５ａ〜２５５ｄ）または前記第２被固着部（ネジ孔２１１ａ〜２１１ｄ、固着片２１２ａ、筒状部２１２ｂ）が設けられた一側縁（側壁２０３，２３０）と対向する対向一側縁同士が互いに回動自在に枢支されており、前記制御基板（遊技制御基板３１）の封止状態を解除した状態において前記対向一側縁を中心として回動可能となる、
ことを特徴としている。
この特徴によれば、封止状態を解除した状態において、ケース内部を容易に開放することができる。
【００１６】
本発明の請求項６に記載の基板収納ケースは、請求項１〜５のいずれかに記載の基板収納ケースであって、
前記予備用固着部材（予備用ワンウェイネジ２８１）は、前記予備用固着部材収納部（ネジ収納部２０９）の収納口（挿入孔２０９ｃの上面開口）を介して内部に挿入される挿入部（ネジ部２８３）と、該挿入部の一端に設けられる頭部（２８４）と、から構成され、
前記予備用固着部材収納部は、該予備用固着部材収納部に前記予備用固着部材を収納した状態において、前記頭部が前記収納口の外部に突出した状態で保持されるように構成されている、
ことを特徴としている。
この特徴によれば、予備用固着部材収納部が収納口から収納された状態において、予備用固着部材の頭部が収納部の外部に突出されているため、取り出しが容易になる。
【００１７】
本発明の請求項７に記載の基板収納ケースは、請求項１〜６のいずれかに記載の基板収納ケースであって、
前記制御基板（遊技制御基板３１）は、電子部品及びコネクタ（２３８）が実装される実装面（３１ａ）と該実装面と反対側の裏面（３１ｂ）とを有し、
前記ケースカバー（２０２）は、前記コネクタに対応する箇所に、該コネクタの接続部（接続口２３８ａ）をケース外部に開放するためのコネクタ用開口（２３５，２３６，２３７）が形成されるとともに、前記制御基板を取り付け可能に構成され、
前記制御基板は、前記実装面を前記ケースカバーにより被覆し、かつ、前記裏面を前記ケース本体に対向させた状態で前記基板収納ケースの内部に封止状態で収納される、
ことを特徴としている。
この特徴によれば、基板収納ケースを開放しても、実装面がケースカバーにより覆われた状態で制御基板が取り付けられていることで、ケースカバーからの制御基板の取り外しに時間がかかり、電子部品やコネクタ等に対する不正行為を行いにくくなる。
【発明を実施するための最良の形態】
【００１８】
本発明の実施例を以下に説明する。
【実施例１】
【００１９】
本発明の実施例１としての基板収納ケースが設けられた遊技機の一例としてのパチンコ機を図面に基づいて説明すると、まず、図１は、本発明が適用されたパチンコ機を示す正面図であり、図２は、図１のパチンコ機を示す背面図であり、パチンコ機１は、枠状に形成された木製の基枠１ａ（図２参照）に開閉自在に枢支されているとともに、その上部前面に額縁状に形成されたガラス扉枠２を有する。ガラス扉枠２の下方には打球供給皿３が設けられている。打球供給皿３の左右側には、内部に設けられるスピーカ２７（図３参照）から出力される効果音を放音部２９がそれぞれ設けられている。打球供給皿３の下方には、打球供給皿３から溢れたパチンコ球を貯留する余剰球受皿４と打球を発射する打球操作ハンドル５とが設けられている。
【００２０】
ガラス扉枠２の後方には、遊技機の機種により固有とされた機種固有部となる遊技盤６が着脱可能に取付けられている。また、遊技盤６の前面には遊技領域７が設けられている。また、ガラス扉枠２の後方には、遊技領域７を除く領域に、詳述する有機ＥＬ表示器１００ａ〜ｄが設けられている。更に、遊技領域７の外周部並びに表示エリア１００の外周部には、遊技効果ＬＥＤ２８が設けられている。遊技効果ＬＥＤ２８には、光の３原色であるＲ（赤）、Ｇ（緑）、Ｂ（青）の発光素子を有するフルカラーＬＥＤが適用されており、赤、緑、青、水、紫、黄、白の７色に発光が可能とされている。
【００２１】
ガラス扉枠２は、略中央に位置し、遊技領域７を視認可能な透視窓としてのガラス板と、該ガラス板を保持するガラス枠とからなる。ガラス枠は、ポリカーボネート等の透明樹脂を成形したものであり、このガラス枠により有機ＥＬ表示器１００ａ〜ｄの表面が被覆されるとともに、ガラス枠を透して有機ＥＬ表示器１００ａ〜ｄの表示内容が視認できるようになっている。これによりガラス扉枠２におけるガラス板を除く領域、すなわちガラス枠の領域のほぼ全域にわたって有機ＥＬ表示器１００ａ〜ｄによる表示内容が表示される表示エリア１００（図１参照）が形成される。
【００２２】
遊技領域７の中央付近には、変動表示部９と可変表示器１０とを含む可変表示装置８が設けられている。変動表示部９はＬＣＤ表示器（液晶表示器）にて形成されており、「特別図柄」と呼ばれる複数種類の識別情報、具体的には「１」〜「９」の数字を変動表示可能とされているとともに各種の演出映像を表示可能とされている。具体的に、変動表示部９の表示エリアにおいては、横方向に並ぶ態様で３つの可変表示エリアを表示上形成し（図２１（ａ）参照）、それらのエリアにおいて、「左図柄」、「中図柄」、「右図柄」の３つの特別図柄が個々に独立して可変表示できるようになっている。可変表示器１０は、７セグメントＬＥＤよりなる１つの図柄表示エリアに、「普通図柄」と呼ばれる複数種類の識別情報が可変表示可能とされている。
【００２３】
変動表示部９に表示される特別図柄は、後述するように打球が始動入賞口１４へ始動入賞することに基づいて変動表示が開始される。一方、可変表示器１０に表示される普通図柄は、後述するように打球が通過ゲート１１を通過することに基づいて可変開始される。
【００２４】
変動表示部９の下部には、始動入賞口１４に入賞した始動入賞球数を記憶して表示する４個の表示部（ＬＥＤ）を有する始動入賞記憶表示器１８が設けられている。本実施例では、４個を上限として、始動入賞が記憶される毎に、始動入賞記憶表示器１８のＬＥＤが１つ追加して点灯する。そして、変動表示部９において特別図柄の可変表示が開始される毎に、ＬＥＤが１つ消灯する。
【００２５】
可変表示装置８の側部には、打球を導く通過ゲート１１が設けられている。可動片１５は、ソレノイド１６によって開状態とされる。通過ゲート１１には、通過ゲート１１を通過した打球を検出するゲートスイッチ１２（図３参照）がある。また、始動入賞口１４に入賞した打球は、始動入賞口スイッチ１７（図３参照）によって検出される。
【００２６】
可動片１５の下方には、開閉板２０が設けられた可変入賞球装置１９が取り付けられている。遊技状態が大当り状態（特定遊技状態）となれば、ソレノイド２１（図３参照）によって開閉板２０が開成し、可変入賞球装置１９の大入賞口が開口する。大入賞口に進入した球のうち特定入賞領域（Ｖポケット）に入った入賞球はＶカウントスイッチ２２（図３参照）で検出される。一方、大入賞口内における特定入賞領域以外の通常入賞領域へ入賞した入賞球はカウントスイッチ２３（図３参照）で検出される。
【００２７】
遊技領域７には、複数の入賞口２４ａ〜ｄが設けられている。入賞口２４ａ〜ｄに入賞した打球は、入賞球検出スイッチ９９ａ〜ｄ（図３参照）で検出される。遊技領域７の左右周辺には、遊技中に点灯表示される装飾ランプ２５が設けられ、下部には、入賞しなかった打球を回収するアウト口２６が設けられている。
【００２８】
打球操作ハンドル５の操作によって駆動モータ９４（図３参照）により揺動されるハンマーによって発射された打球は、発射球検出センサ（図３参照）にて検出された後、打球レール（図示略）を通って遊技領域７に入り、その後、遊技領域７を流下していく。この際、発射勢いが弱すぎて遊技領域７に達しなかったパチンコ球は、環流経路（図示略）を通じて余剰球受皿４に環流されるようになっている。また、遊技領域７に到達した打球のうちいずれの入賞口にも入賞せずにアウト口２６に回収された打球は、アウト球検出スイッチ（図３参照）により検出される。
【００２９】
また、遊技領域７に打ち込まれた打球が通過ゲート１１を通ってゲートスイッチ１２で検出されると、可変表示器１０に停止表示されている普通図柄が変動を開始する。尚、可変表示器１０の可変表示中に打球が通過ゲート１１を通過した場合にはその通過が記憶され、可変表示器１０が停止して再度変動を開始可能な状態になってから通過記憶を「１」減算して可変表示器１０が可変表示制御される。この通過記憶の上限は例えば「４」に定められており、現時点での通過記憶数が通過記憶表示器（図示せず）により表示される。
【００３０】
また、打球が始動入賞口１４に入賞し、始動入賞口スイッチ１７で検出されると、特別図柄の変動を開始できる状態であれば、変動表示部９に表示される特別図柄がスクロールを始める。例えば、すでに変動表示が開始されて特別図柄が変動中である等の理由によって特別図柄の変動をすぐに開始できる状態でなければ、始動入賞記憶を一つ増やす。
【００３１】
可変表示器１０の可変表示動作後の表示結果が予め定められた特定の表示結果（例えば７）となった場合に、始動入賞口１４に設けられた可動片１５が所定時間開成して、パチンコ球が始動入賞口１４に入賞し易くなる遊技者にとって有利な状態となる。
【００３２】
この始動入賞口１４にパチンコ球が入賞して始動入賞口スイッチ１７で検出されると、特別図柄の変動を開始できる状態であれば、変動表示部９において全特別図柄が変動表示を開始する。そして、その後、左,中,右の特別図柄が停止し、その停止表示結果が予め定められた特定の表示態様（例えば２２２や７７７）となった場合に、特定遊技状態（大当り状態）が発生する。このような大当り状態が発生する特定の表示態様は、大当り図柄と呼ばれ、この例では予め複数種類定められている。このように大当り状態が発生した場合には、可変入賞球装置１９の開閉板２０が開成して遊技者にとって有利な第１の状態となる。この第１の状態は、所定期間（例えば３０秒間）の経過または打球の所定個数（例えば１０個）の入賞のうちいずれか早い方の条件が成立することにより終了し、その後、遊技者にとって不利な第２の状態となる。第１の状態となっている可変入賞球装置１９の大入賞口内に進入した打球が特定入賞領域（Ｖポケット）に入賞してＶカウントスイッチ２２により検出されれば、その回の第１の状態の終了を待って再度開閉板２０が開成されて第１の状態となる。この第１の状態の繰返し継続制御は、本実施例では最大１５回まで実行可能とされている。このような最大１５回実行可能である第１の状態となっている時期は、繰返し継続制御のラウンド（回）と呼ばれる。この例では、繰返し継続制御は、第１ラウンドから最大第１５ラウンドまで繰返し実行可能である。
【００３３】
また、変動表示部９で変動表示された左,中,右の特別図柄が同じ図柄の種類に一致した大当り図柄の組合せで停止表示されたときには前述したように大当りが発生するが、その大当り図柄が複数種類の大当り図柄のうちの予め定められた種類の大当り図柄（特別の表示態様の図柄）である場合には、前述した特定遊技状態の終了後、通常遊技状態に比べて大当りが発生する確率が高く変動した確率変動状態（以下、確変状態ともいい、本実施例では該確変状態を真・侍モードと呼称している）となる。このような確率変動状態の発生のきっかけとなる特別の表示態様の大当り図柄（本実施例では奇数図柄）は、確変図柄とよばれる。以下、確変図柄により発生する大当りを確変大当りといい、確変図柄以外の大当り図柄（普通図柄といい、本実施例では偶数図柄）により発生する大当りである通常大当りと区別している。
【００３４】
通常遊技状態中に、一旦、確変大当りが発生すると、その確率変動状態は、例えば、少なくとも予め定められた確変継続回数（例えば１回）分の大当りが発生するまで確率変動状態に継続制御される。また、確率変動状態中にさらに確変大当りが発生すれば、その確変大当り以降、改めて確変継続回数が計数され、その後、少なくとも確変継続回数だけ大当りが発生するまで確率変動状態が継続する状態、つまり連荘状態となる。そして、確変継続回数に達した大当りが確変図柄以外の普通図柄によるものであった場合には、該大当り状態の終了後には、前記確率変動状態とならずに、変動表示部９が変動表示動作を所定回数（例えば１００回）行うまでの間、始動入賞口１４に設けられた可動片１５が、遊技者にとって有利な第１の状態に変化する頻度が向上する時短状態（本実施例では該時短状態を侍モードと呼称している）が発生する。
【００３５】
これら時短状態における遊技者にとって有利な第１の状態である可動片１５が開成状態となる頻度の向上は、前記確率変動中における可動片１５の開成頻度の向上とほぼ同様に、前記可変表示器１０の普通図柄の可変表示から停止表示までの時間が通常の遊技状態よりも短縮（本実施例では前記可変表示から停止表示までの時間が通常遊技状態において３０秒から３秒へ短縮）されることで向上されるとともに、前記可動片１５が開成している期間が通常遊技状態よりも延長（通常遊技状態では０．５秒が３秒に延長）されることで、変動表示部９での変動表示が開始される始動入賞がし易い状態が保持されるとともに、該始動入賞に伴う賞球が払い出されることで、これら時短状態中において、遊技者の持ち玉が大きく減少しないようになっている。
【００３６】
尚、本実施例では、これら時短状態中における遊技者にとって有利な第１の状態である可動片１５が開成状態となる頻度の向上を確率変動状態の場合と同一としているが、本発明はこれに限定されるものではなく、これら頻度の向上の態様を、時短状態中と確率変動中において個別の態様としても良い。
【００３７】
変動表示部９の変動表示においては、リーチ状態が発生する場合がある。ここで、「リーチ状態」とは、変動表示部９の変動表示が開始された後、表示制御が進行して表示結果が導出表示される前段階にまで達した時点でも、大当りの表示態様となる表示条件から外れていない表示態様をいう。すなわち、リーチとは、複数の表示結果の一部がまだ導出表示されていない段階で、既に導出表示されている表示結果が特定の表示態様の組合せとなる条件を満たしている表示状態をいう。尚、これらリーチ状態としては、特定の表示態様の特定図柄の組合せが揃った状態を維持しながら可変表示を行う状態、具体的には同一の特定図柄が揃って回転する全回転状態等もリーチ表示状態に含まれる。更にリーチ状態の中には、それが出現すると、通常のリーチ（ノーマルリーチ）に比べて、大当りが発生しやすいもの、例えば、前出の全回転状態によるリーチ等がある。このようなリーチをスーパーリーチという。更にリーチの中には、相当な低確率ではあるが、それが出現すると、ほぼ確実に大当りが発生するものがある。このようなリーチをプレミアムリーチという。
【００３８】
次に、パチンコ機１の背面の構造について図２に基づき説明する。パチンコ機１の遊技盤６の裏面側には、機構板３６が設けられており、該機構板３６には、変動表示部９を成す液晶表示器や有機ＥＬ表示器１００ａ〜ｄの表示制御を行う表示制御基板８０、後述する遊技制御基板収納ケース２００（以下、基板収納ケース２００と略称する）に覆われた遊技制御基板３１、遊技球（パチンコ玉）の払出制御を行う賞球制御基板３７が、図２に示すように配設されている。
【００３９】
さらに、該機構板３６には、駆動モータ９４（図３参照）の回転力を利用して遊技球を遊技領域７に発射する打球発射装置３４と、打球発射装置の制御を行う発射制御基板９１と、スピーカ２７および遊技効果ＬＥＤ２８に信号を送るためのＬＥＤ制御基板３５と、スピーカ２７から出力する音声制御を行う音声制御基板７０と、が設けられている。
【００４０】
また、図２中の９０は、前記余剰球受皿４への流下経路に設けられて、前記余剰球受皿４の満タンを検出するための満タンスイッチ１３（図３参照）や、払出装置９７の上流部に設けられて球切れを検出するための球切れスイッチ３３（図３参照）や、カウントスイッチ２３（図３参照）、Ｖカウントスイッチ２２（図３参照）等の各種スイッチからの信号を前記遊技制御基板３１に中継するための枠用スイッチ中継基板である。
【００４１】
この機構板３６の上部には球タンク３８が設けられ、前記遊技島の供給樋より導出された供給管（図示略）より遊技球（パチンコ玉）が球タンク３８に供給される。球タンク３８内の遊技球（パチンコ玉）は、誘導樋３９を通って払出装置９７に供給される。
【００４２】
この誘導樋３９の下流側終端部には、カーブ樋４３、球供給樋４４を介して２条の球供給通路４５が連設されているとともに、この球供給通路４５の下端部が、入賞の発生等により付与された賞球の払出や玉貸球の払出を行う払出装置９７に連設されており、誘導樋３９を流下するパチンコ球は、取付ボスを支点として揺動自在に垂下されて取り付けられている玉ならし部材４８により、上下２段となって流下する球が玉ならし部材４８により埋設される重錘の作用によって１段とされるとともに誘導樋３９にて２条に分流された後、カーブ樋４３により左右方向から下方へ流下方向が変換され、球供給樋４４並びに球供給通路４５を介して、払出装置９７に供給されるようになっている。
【００４３】
また、球供給通路４５の経路中には球切れスイッチ３３が各条に対応して設けられており、この球切れスイッチ３３により払出装置９７での１回の玉貸球数である２５球のパチンコ球が球供給通路４５内に準備されているか否かが検出されるようになっている。
【００４４】
この払出装置９７には、球供給通路４５の各条に対応して球切り用のスプロケット（図示略）が設けられており、これらスプロケットが駆動回転されることでパチンコ球が１球ずつ下方に排出されるようになっている。また、各条に対応したスプロケットが同期回転することで交互にパチンコ球が排出される。尚、これら排出されたパチンコ球は、図示しない賞球用カウントスイッチにて検出された後、賞球通路７３に排出されるようになっている。
【００４５】
また、賞球通路７３の下流位置には打球供給皿３に連通する図示しない上皿連通口が設けられており、払出装置９７から払い出されたパチンコ球は、賞球通路７３並びに上皿連通口を通って打球供給皿３に払い出され、貯留されるようになっている。また、この上皿連通口の側方には、最下端部がパチンコ機１の下方に設けられている余剰球受皿４に連通する余剰球通路（図示略）に連設されており、打球供給皿３に貯留されたパチンコ球が満タンの状態であるために上皿連通口から溢れたパチンコ球が、この余剰球通路（図示略）を流下して余剰球受皿４に払い出されるようになっている。
【００４６】
この余剰球通路（図示略）の経路中には、前記余剰球受皿４に流下したパチンコ球が余剰球受皿４に満杯になったことを検知するための満タンスイッチ１３が設けられており、これら満タンスイッチ１３がＯＮされた場合には、払出装置９７の駆動が停止されて賞球及び貸球の払出動作が不能動化される。
【００４７】
また、機構板３６の内方面側には、入賞球を誘導する入賞球誘導通路とアウト球を誘導するアウト球通路とが形成されており、前記遊技盤６の背面を覆うように形成された入賞球誘導カバー体（図示略）にて、遊技盤６の背面から放出される入賞球を収集して受け入れるようになっており、その受け入れた入賞球を入賞球誘導通路が一側方に向かって誘導するとともに、機構板３６に形成された連通口から機構板３６の背面側に導き、さらにその連通口と球抜き通路４６の下流部とを連通する合流通路（図示略）に導くようになっている。
【００４８】
図３は、本実施例のパチンコ機１に設けられた各種基板と各種電気部品との接続状況並びに遊技制御基板３１における回路構成の一例を示すブロック図である。
【００４９】
本実施例の遊技制御基板３１は、プログラムに従ってパチンコ機１を制御する遊技制御用マイコン５３と、ゲートスイッチ１２、始動入賞口スイッチ１７、Ｖカウントスイッチ２２、カウントスイッチ２３、入賞球検出スイッチ９９ａ〜ｄ、余剰球受皿４の満タンを検出する満タンスイッチ１３からの信号を遊技制御用マイコン５３に与えるスイッチ回路５８と、可動片１５を開閉するソレノイド１６および開閉板２０を開閉するソレノイド２１を遊技制御用マイコン５３からの指令に従って駆動するソレノイド回路５９と、始動入賞記憶表示器１８の点灯および点滅を行うとともに、可変表示器１０と装飾ランプ２５とを駆動するランプ・ＬＥＤ回路６０とを含む。
【００５０】
また、遊技制御基板３１は、遊技制御用マイコン５３から与えられるデータに従って、大当りが発生中であることを示す大当り中信号、変動表示部９における変動表示が終了、つまり特定図柄の表示結果が導出表示されたことを示す始動信号、確率変動であることを示す確変中信号を外部の装置（例えば、ホールコンピュータ等）に対して出力する第１情報出力回路６４を含む。
【００５１】
遊技制御用マイコン５３は、ＲＯＭ５４、ＲＡＭ５５、ＣＰＵ５６、Ｉ／Ｏポート５７、および、乱数回路４９を含む。ＲＯＭ５４は、ゲーム制御用のプログラム等の各種の情報（データ）を記憶するためのものである。ＲＡＭ５５は、ＣＰＵ５６がワークメモリとして使用するためのものである。ＣＰＵ５６は、ゲーム制御用のプログラム等の各種の制御用プログラムに従って遊技制御動作等の制御動作を行う。Ｉ／Ｏポート５７は、データおよび信号等の各種情報の入出力用に設けられた複数のポートを有する。遊技制御用マイコン５３が動作する場合の基準タイミングとなる動作クロックは、遊技制御基板３１のクロック発生部５０から供給され、これら動作クロックはＣＰＵ５６等の遊技制御用マイコン５３内の各部に与えられる。
【００５２】
更に、遊技制御基板３１には、電源投入時に遊技制御用マイコン５３をリセットするための初期リセット回路６６と、電源投入後に遊技制御用マイコン５３を定期的にリセットするための定期リセット回路６５と、遊技制御用マイコン５３から与えられるアドレス信号をデコードしてＩ／Ｏポート５７のうちのいずれかのＩ／Ｏポートを選択するための信号を出力するアドレスデコード回路６７とが設けられている。
【００５３】
遊技制御用マイコン５３は、電源投入時において、初期リセット回路６６により初期リセットされる。また、電源投入後、遊技制御用マイコン５３は、定期リセット回路６５により定期的（本実施例では、後述するように２ミリ秒毎）にリセットされ、割込み処理が実行される。これにより、割込み処理が実行される毎に、ゲーム制御用のプログラムが所定位置から再実行されることで、特別図柄プロセス処理が２ミリ秒毎に繰返し実施される。
【００５４】
打球を発射する打球発射装置（図示略）は、発射制御基板９１上の回路によって制御される駆動モータ９４で駆動される。そして、駆動モータ９４は、打球操作ハンドル５に設けられたタッチセンサ５ａの検出に応じて駆動され、打球が発射されるように制御される。また、本実施例では、タッチセンサ５ａの検出信号（タッチセンサ信号）は分岐して表示制御基板８０に対しても入力されるようになっており、表示制御基板８０に搭載されている後述するサブＣＰＵ８１により実施される非稼働監視処理において、これらタッチセンサ信号の入力に応じて非稼働判定タイマがリセットされることにより、非稼働判定タイマがタイマアップすることで非稼働と判定される、つまり、打球操作ハンドルの操作が無くなってから非稼働判定タイマにセットされている所定時間が経過した時点において、非稼働となったことが検出されるようになっている。
【００５５】
また、遊技制御基板３１から表示制御基板８０には、変動表示部９の表示制御並びに有機ＥＬ表示器１００ａ〜ｄの表示制御に関する指令情報として、表示制御コマンド（変動開始コマンド、最終停止図柄指定コマンド等）が伝送される。表示制御基板８０側では、表示制御コマンドの指令内容等にしたがって、変動表示部９の表示制御並びに有機ＥＬ表示器１００ａ〜ｄの表示制御を行う。
【００５６】
遊技制御基板３１からＬＥＤ制御基板３５には、ＬＥＤ制御基板３５により制御が行われる遊技効果ＬＥＤ２８の発光制御に関する指令情報としての発光制御コマンドが伝送される。ＬＥＤ制御基板３５側では、発光制御コマンドの指令内容にしたがって、遊技効果ＬＥＤ２８の発光制御を行う。尚、本実施例では発光制御コマンドとして表示制御基板８０に伝送される表示制御コマンドと同一のコマンドが伝送されるようになっており、これにより、変動表示部９や有機ＥＬ表示器１００ａ〜ｄの表示と連動して遊技効果ＬＥＤ２８の発光制御が行われるようになっている。
【００５７】
遊技制御基板３１から音声制御基板７０には、音声制御基板７０によりスピーカ２７から出力される効果音等の音声の制御に関する指令情報としての音声制御用コマンドが伝送される。この音声制御用コマンドに応じて、音声制御基板７０側では、スピーカ２７からの効果音の発生等の音声制御を行う。
【００５８】
また、遊技制御用マイコン５３は、入賞球検出スイッチ９９ａ〜ｄの検出信号と始動入賞口スイッチ１７の検出信号、Ｖカウントスイッチ２２の検出信号、カウントスイッチ２３の検出信号に基づいて、所定個数の賞球を払出装置９７により払出させるための指令情報としての払出制御コマンドを賞球制御基板３７に伝送する。賞球制御基板３７側では、その出力されてきた払出制御コマンドに応じて払出装置９７を制御して所定個数の賞球を払出すための制御を行う。
【００５９】
また、満タンスイッチ１３からの検出信号が満タン状態を示している場合には、その状況に応じて、払出禁止コマンドを賞球制御基板３７へ伝送し、払出装置９７による賞球の払出しを停止させる。
【００６０】
また、賞球制御基板３７上には、第２情報出力回路部６８が設けられており、これら賞球制御基板３７における賞球の払い出し制御により所定数（例えば１０個）の賞球が払い出される毎に所定幅のパルス信号である賞球信号が外部出力される。
【００６１】
また、賞球制御基板３７は、対応して設置されるカードユニット（図示略）と接続され、各種信号の送受が実施可能とされており、対応するカードユニットからの球貸要求に応じて払出装置９７を制御して所定個数の貸出球を払出すための制御を行う。
【００６２】
また、本実施例のパチンコ機１は、これら搭載されている各種基板のうち、遊技制御基板３１、表示制御基板８０を交換することにより、ゲーム性や演出内容を変更できる構成とされている。すなわちこれら各基板を交換することにより機種変更ができる構成とされており、これら遊技制御基板３１、表示制御基板８０は、本発明の機種固有部を成す一方、発射制御基板９１、ＬＥＤ制御基板３５、賞球制御基板３７、音声制御基板７０等は、異なる機種間においても共通に使用される共通部を成している。
【００６３】
表示制御基板８０は、遊技制御基板３１とは独立して、表示制御を表示制御プログラムに基づいて実施するものであり、遊技制御基板３１から送信される前述の表示制御コマンドに基づいて、変動表示部９や有機ＥＬ表示器１００ａ〜ｄの表示制御を実施する。
【００６４】
表示制御基板８０には、特に詳細な図示はしないが、表示制御プログラムを実行することにより表示制御基板８０における表示制御を行うサブＣＰＵと、該サブＣＰＵのワークメモリ等として使用されるＲＡＭと、サブＣＰＵが実施する表示制御プログラムや各種表示制御データ等を格納するＰＲＯＭと、サブＣＰＵ８１からの指示に基づいて変動表示部９に表示する画像の生成等を実施するビデオディスプレイプロセッサ（ＶＤＰ：Video Display Processor）と、変動表示部９における特図表示や演出表示に使用する各種画像データが記憶された画像ＲＯＭと、該画像ＲＯＭに記憶された画像データに基づいてＶＤＰにて生成された、変動表示部９に表示する生成画像を記憶するＶＲＡＭ（Video ＲＡＭ）等が設けられている。
【００６５】
また、表示制御基板８０には、遊技制御基板３１からの表示制御コマンドが入力される入力回路と、タッチセンサ５ａからのタッチセンサ信号や各スイッチからの操作信号が入力される入力回路と、変動表示部９を表示制御するための液晶駆動回路と、有機ＥＬ表示器１００ａ〜ｄを表示制御するためのＥＬ駆動回路等が搭載されている。
【００６６】
次に、前述した遊技制御基板３１を収納する基板収納ケース２００の詳細な構造について説明する。図４は、基板収納ケースを示す分解斜視図であり、図５は、（ａ）は基板収納ケースを示す平面図であり、（ｂ）は基板収納ケースを示す斜視図であり、図６は、（ａ）はケースカバーを示す底面図であり、（ｂ）はケース本体を示す平面図であり、図７は、（ａ）はケースカバーの要部を斜め下方から見上げた状態を示す斜視図であり、（ｂ）はケース本体の要部を斜め上方から見た状態示す斜視図であり、図８は、図５（ａ）のＡ−Ａ断面図であり、図９は、制御基板の封止状態の基板収納ケースを示す一部破断側面図であり、図１０は、（ａ）は図９のＢ−Ｂ断面図であり、（ｂ）は図９のＣ−Ｃ断面図である。
【００６７】
基板収納ケース２００は、図４に示されるように、遊技制御基板３１の裏面側を覆うケース本体としてのケース本体２０１と、遊技制御基板３１の実装面３１ａ側を覆うケースカバー２０２と、から構成され、遊技制御基板３１を挟持するように組み付けられるものである。尚、遊技制御基板３１は、後述するようにケースカバー２０２の裏面側に取り付けられた状態で基板収納ケース２００の内部に封止状態で収納されるようになっている。
【００６８】
ケース本体２０１は、透明な合成樹脂からなり、図４及び図６（ｂ）に示されるように、略長方形状に形成される底板２０１ａと、該底板２０１ａの周囲を囲むように形成された側壁２０３〜２０６と、により上面が開放する直方体状に成形されている。側壁２０５、２０６の内面には、図５に示される封止状態（閉鎖状態）において遊技制御基板３１の裏面周囲を支持する上下方向を向く支持リブ２０７が複数形成されている。また、側壁２０３及び後述する閉塞壁２１６の内面における長手方向の中央位置には、ケースカバー２０２を位置決めするための上下方向を向く位置決め用リブ２７０が形成されている。
【００６９】
一方の短辺の側壁２０３は、特に図６（ｂ）に示されるように、長手方向の略中央に位置する中央側壁２０３ａと、該中央側壁２０３ａの左右側方に位置する膨出壁２０３ｂ，２０３ｃと、中央側壁２０３ａと膨出壁２０３ｂ，２０３ｃとを連接する連接壁２０３ｄと、により、平面視で略凹状に形成されている。つまり、これら膨出壁２０３ｂ，２０３ｃ及び連接壁２０３ｄにより、中央側壁２０３ａの長手方向の左右側には、本体内部側から外側に向けて膨出する平面視略長方形状をなす膨出部２０８ａ，２０８ｂが形成されている。
【００７０】
膨出部２０８ａ，２０８ｂの内部は、ケース本体２０１の内部に形成される平面視略長方形状の基板収納空間Ｓ１（図６（ｂ）中２点鎖線で示される領域）にそれぞれ連通する膨出空間Ｓ２，Ｓ３が形成されており、つまり内部が中空状に構成されており、一方の膨出部２０８ａの膨出空間Ｓ２内には、後述する複数（本実施例では３本）の予備用ワンウェイネジ２８１を収納するネジ収納部２０９が設けられている。
【００７１】
ネジ収納部２０９は、図６及び図７（ｂ）に示されるように、ケース本体２０１の底板２０１ａから立設される側壁２０３よりも若干低い板状部２０９ａと、該板状部２０９ａの長手方向に向けて所定間隔おきに形成される複数の筒状部２０９ｂと、から構成される。各筒状部２０９ｂには、予備用ワンウェイネジ２８１のネジ部の直径よりも若干大径で、かつ、頭部の直径よりも小径の挿入孔２０９ｃが上方から所定深さ形成されており、挿入孔２０９ｃの上面開口から予備用ワンウェイネジ２８１を挿通して収納できるようになっている（図１０（ａ）参照）。
【００７２】
板状部２０９ａは、その長手方向の両端が、それぞれ側壁２０６及び連接壁２０３ｄの内面に連設されているとともに、膨出壁２０３ｂに対して平行に、基板収納空間Ｓ１と膨出空間Ｓ２とを区画するように配設されている。また、膨出壁２０３ｂ，２０３ｃの下部には、後述するケースカバー２０２の係止爪２５１を係止可能な係止穴２１０がそれぞれ形成されている（図１０（ａ）参照）。
【００７３】
予備用ワンウェイネジ２８１は、周知のように、一方向の回転によってネジを螺着することができるが、他方向に回転させようとしても回転させることができない、すなわち、そのネジを緩めることができない機能を有するネジである（図４参照）。具体的には、外周に雄ねじ部が形成されたネジ部２８３と、該ネジ部２８３の上端に設けられる頭部２８４と、から構成され、ネジ部２８３の直径よりも頭部２８４の直径の方が大径になっている。尚、ワンウェイネジ２８０も予備用ワンウェイネジ２８１と同様に構成されているため、ここでの詳細な説明及び図示は省略することとする。
【００７４】
中央側壁２０３ａの外側には、後述するワンウェイネジ２８０が螺入される複数（本実施例では４つ）のネジ孔２１１ａ〜２１１ｄが形成される第２被固着部２１２が形成されている。被固着部２１２は、図４及び図９に示されるように、中央側壁２０３ａの外側における両連接壁２０３ｄ，２０３ｄ間に架設されるとともに、ネジ孔２１１ａ〜２１１ｄが長手方向に向けて所定間隔おきに形成された固着片２１２ａと、該固着片２１２ａの下面における各ネジ孔２１１ａ〜２１１ｄに対応する箇所から垂下される筒状部２１２ｂと、から構成され、ネジ孔２１１ａ〜２１１ｄは、固着片２１２ａから筒状部２１２ｂにかけて所定深さに形成されている。
【００７５】
固着片２１２ａは、中央側壁２０３ａ及び両連接壁２０３ｄに対向する３辺がそれぞれ側壁２０３に連設されているとともに、中央側壁２０３ａの反対側の長辺が、膨出壁２０３ｂ，２０３ｄと面一になるように形成されている。つまり、両サイドの膨出部２０８ａ，２０８ｂよりも外側に突出しないように形成されているため、誤ってケース本体２０１を落下した場合でも、第２被固着部２１２が両サイドの膨出部２０８ａ，２０８ｂにより保護されて損傷しないようになっている。
【００７６】
他方の短寸の側壁２０４は、図４及び図８に示されるように、その上端から内向きに連設される内向片２０４ａと、該内向片２０４ａの先端から下方に垂設される垂下片２０４ｂとが連設されており、これら側壁２０４、内向片２０４ａ及び垂下片２０４ｂの内面により、後述するケースカバー２０２の回動枢支片を係止する下向きに開口する被係止凹部２１５が長手方向に向けて形成されている。
【００７７】
また、底板２０１ａにおける被係止凹部２１５の鉛直下方位置には開口が形成されているとともに、該開口端縁部からは、側壁２０４よりも高さが低い閉塞壁２１６が立設されており、特に図８に示されるように、封止状態においてケースカバー２０２の側壁下端と底板２０１ａの上面との間を外側から被覆できるようになっている。
【００７８】
底板２０１ａの下面には、図８に示されるように、パチンコ機１に設けられる基板収納ケース取付板（図示略）に取り付ける際に、該基板収納ケース取付板に係止可能な複数の取付板用係止爪２１７と、取り付けの際における位置決め用の位置決め片２１８とが突設されている。
【００７９】
ケースカバー２０２は、透明な合成樹脂からなり、図４及び図６（ａ）に示されるように、略長方形状に形成される上板２０２ａと、該上板２０２ａの周囲を囲むように形成された側壁２３０〜２３３とにより下面が開放する直方体状に形成されている。上板２０２ａにおける側壁２３２側の一部は長辺方向に向けて下方に凹設されており、上板２０２ａの一部に所定幅を有する帯状の凹部２３４が形成されている。この凹部２３４には、図４に示される遊技制御基板３１の実装面３１ａ上に複数実装されるケーブル接続用の各種コネクタ２３８を挿通可能なコネクタ用開口２３５，２３６，２３７がそれぞれ形成されている（図６（ａ）参照）。
【００８０】
凹部２３４の裏面は、後述するように遊技制御基板３１が取り付けられた状態で、図４及び図８に示されるように該遊技制御基板３１の実装面３１ａに限りなく近接するようになっており、コネクタ用開口２３５，２３６，２３７を介して各種コネクタ２３８の接続口２３９及び側面がケースカバー２０２の外部に露出されるようになっている。尚、各コネクタ用開口２３５，２３６，２３７は、これら開口端縁と各種コネクタ２３８の側面との間から針金等の異物や配線等が容易に進入されることがないように、開口端縁と各種コネクタ２３８の側面との間例えば約１ｍｍ以内の隙間となるように形成されている。
【００８１】
上板２０２ａの裏面四隅には、図６（ａ）に示されるように、遊技制御基板３１を取り付けるための基板取付ネジ２３９が取り付けられるネジ孔２４０ａを有する取付用支柱２４０（図７（ａ）参照）が一方の対角線上に２つ突設されているとともに、取り付けの際に位置決め用の位置決め用凸部２４１（図７（ａ）参照）が他方の対角線上に２つ突設されており、ケースカバー２０２の裏面側に遊技制御基板３１を取り付けできるようになっている。
【００８２】
遊技制御基板３１を取り付けるには、図４に示されるように、遊技制御基板３１の実装面３１ａをケースカバー２０２の裏面に対向させた状態、つまり実装面３１ａを上方に向けた状態でケースカバー２０２の裏面側に押し当てる。そして、各コネクタ用開口２３５，２３６，２３７から各コネクタ２３８が挿通されるように、遊技制御基板３１における位置決め用凸部２４１に対応する２つの角部に形成された位置決め孔２４３をそれぞれ位置決め用凸部２４１内に挿通して位置決めした状態で、遊技制御基板３１の取付用支柱２４０に対応する２つの角部に形成されたネジ取付孔２４２に基板取付ネジ２３９を取り付け、ネジ孔２４０ａに基板取付ネジ２３９を螺入して取り付ける。
【００８３】
このようにケースカバー２０２に遊技制御基板３１を取り付けた状態において、前述したように、上板２０２ａにおける凹部２３４の裏面に対向する実装面３１ａが近接した状態となる（図４及び図８参照）。これにより、各コネクタ用開口２３５，２３６，２３７の開口端縁と各種コネクタ２３８の側面との間から進入させた針金等の異物や配線等を、遊技制御用マイコン等が実装されている遊技制御基板３１の中央部に向けて差し込むことが困難となるため、不正行為が効果的に防止される。
【００８４】
また、上板２０２ａの裏面における凹部２３４以外の所定箇所には、後述するワンウェイネジ２８０の頭部２８４を被覆するキャップ２４４が複数吊支されたキャップ吊支体２４５（図４中拡大図参照）を保持する四角柱状のキャップ保持部２４６が凸設されている。このキャップ保持部２４６に保持されるキャップ吊支体２４５に吊支されているキャップ２４４は、封止の際に使用するワンウェイネジ２８０及び予備用ワンウェイネジ２８１の頭部２８４を被覆するものであり、ワンウェイネジ２８０及び予備用ワンウェイネジ２８１と同数（４個）のキャップを有している。
【００８５】
また、キャップ保持部２４６は、図４に示されるように、各キャップ２４４を吊支する２つの筒状部２４５ａを有しており、いずれか一方の筒状部２４５ａ内に柱状のキャップ保持部２４６内に嵌合することで保持されるようになっている。
【００８６】
尚、各キャップ２４４には下端に係止爪が形成された一対の係止片が設けられており、該係止爪を後述する被固着部２５５ａ〜２５５ｄの内面に形成された段部に係止することで、被固着部２５５ａ〜２５５ｄの上面開口を閉塞するように保持されるようになっている。
【００８７】
上板２０２ａの上面には、図４に示されるように、パチンコ機１の機種名を記した機種名シール（図示略）を貼着するための機種名表示用凹部２４７が凹設されているとともに、遊技制御基板３１を検査した際に書き込む「検査者」や「検査日」等の各項目が記された検査履歴シール（図示略）を貼着するための検査名表示用凹部２４８が凹設されている。
【００８８】
側壁２３０におけるケース本体２０１側の膨出部２０８ａ，２０８ｂに対応する箇所には、膨出部２０８ａ，２０８ｂよりもそれぞれ一回り小さい膨出部カバー２５０ａ，２５０ｂが外側に向けて膨出するように形成されている。つまり、これら膨出部カバー２５０ａ，２５０ｂは、封止状態において膨出部２０８ａ，２０８ｂを構成する膨出壁２０３ｂ，２０３ｃ及び連接壁２０３ｄよりも内側に入り込み、膨出空間Ｓ２，Ｓ３の上方を閉塞するように構成されている。
【００８９】
これら膨出部カバー２５０ａ，２５０ｂは、図６（ａ）及び図７に示されるように、内部が中空状に形成されており、一方の膨出部カバー２５０ｂの内部空間は、側壁２３０によりケースカバー２０２における基板収納空間と区画されて独立した空間となっているとともに、他方の膨出部カバー２５０ａの内部空間は、側壁２３０における膨出部カバー２５０ａに対応する箇所が切り欠かれていることにより、ケースカバー２０２の基板収納空間と連通している。
【００９０】
膨出部カバー２５０ａ，２５０ｂにおける膨出部２０８ａ，２０８ｂに形成された係止穴２１０に対応する壁部には、下端から上方に向けて切り欠かれた２本のスリットを介して弾性変形自在に構成された係止片２５２が形成されており、該係止片２５２の下端には、係止穴２１０に係止可能な外向きの係止爪２５１が形成されており、ケース本体２０１の上面をケースカバー２０２により閉鎖した状態、つまり封止状態において係止爪２５１が係止穴２１０に係止されるようになっている。
【００９１】
また、前述したネジ収納部２０９に対応する膨出部カバー２５０ａの上壁裏面２５４には、膨出部カバー２５０ａの長手方向に向けて延びるネジ規制用リブ２５３が下方に向けて垂設されている。詳しくは、ネジ規制用リブ２５３は、ケース本体２０１の上面をケースカバー２０２により閉鎖した状態、つまり封止状態において、ネジ収納部２０９の板状部２０９ａの直上に該板状部２０９ａと平行をなすように配置されるように、膨出部カバー２５０ａの上壁裏面２５４における板状部２０９ａとの対向位置から下方に向けて垂設されている。つまり、上壁裏面２５４における挿入孔２０９ｃの上面開口との対向位置から、該挿入孔２０９ｃの上面開口に向けて鉛直方向に向けて所定長さ延設されており、その下端が挿入孔２０９ｃ内に挿入された各予備用ワンウェイネジ２８１の頭部２８４に近接する長さを有している（図１０（ａ）参照）。
【００９２】
このように、上記封止状態において、膨出部カバー２５０ａの上壁裏面２５４から下方に向けて延設されたネジ規制用リブ２５３により、ネジ収納部２０９内に収納された予備用ワンウェイネジ２８１のネジ収納部２０９からの逸脱が防止されるようになっているため、ネジ収納部２０９から予備用ワンウェイネジ２８１が逸脱して基板収納空間Ｓ１内に入り込み、基板を損傷させてしまうこと等が確実に防止される。
【００９３】
側壁２０３における両膨出部カバー２５０ａ，２５０ｂの間には、複数（本実施例では４つ）の四角筒状の被固着部２５５ａ〜２５５ｄが、ケース本体２０１の各ネジ孔２１１ａ〜２１１ｄに対向する箇所に複数形成されており、これら固着部により第１被固着部２５５が構成されている。
【００９４】
各被固着部２５５ａ〜２５５ｄは、図６及び図９、図１０に示されるように、ワンウェイネジ２８０及び予備用ワンウェイネジ２８１を挿通可能な四角柱状の筒状部２５６と、該筒状部２５６と側壁２３０とを連接する連接部２５７と、から構成されており、連接部２５７を介して筒状部２５６が側壁２３０から所定距離離間した状態で配置されているため、連接部２５７をニッパ等の工具で切断できるようになっている。
【００９５】
筒状部２５６は、上面が開口する有底の筒体であり、内部にワンウェイネジ２８０を収納可能な大きさを有しているとともに、底板２５８には、ワンウェイネジ２８０の頭部２８４の直径よりも小径の取付孔２５９が形成されている。この取付孔２５９は、封止状態において、各ネジ孔２１１ａ〜２１１ｄの対向位置に配置されるようになっている。
【００９６】
また、ケースカバー２０２の上板２０２ａ表面には、各被固着部２５５ａ〜２５５ｄそれぞれに対応する箇所に、後述するようにワンウェイネジ２８０及びワンウェイネジ２８１を用いて第１被固着部２５５及び第２被固着部２１２とを固着する順番、つまり、各被固着部２５５ａ〜２５５ｄ及び各ネジ孔２１１ａ〜２１１ｄの使用順序を示す使用順番号（図４、図５中に示す「１，２，３，４」の白抜き数字参照）が印刷等により表示されている。
【００９７】
ケース本体２０１側の被係止凹部２１５が形成されている側壁２０４に対応する側壁２３１には、先端に被係止凹部２１５に係止可能な上向きの係止条２６０が長手方向に向けて延設された係止片２６１が外方に向けて延設されている。
【００９８】
また、図６（ａ）に示されるように、側壁２３０，２３１の下端における長手方向の中央位置には、ケース本体２０１側に設けられた位置決め用リブ２７０を挿通可能な略山形の切欠部２７１（図７（ａ）参照）が形成されており、ケースカバー２０２を閉鎖した状態において、該切欠部２７１内に位置決め用リブ２７０が入り込むことで、ケース本体２０１に対するケースカバー２０２の水平方向の位置決めがなされるようになっている。
【００９９】
次に、このように構成されたケース本体２０１及びケースカバー２０２により、遊技制御基板３１を内部に収納して封止状態とする状況を説明する。
【０１００】
遊技制御基板３１を封止状態で収納するには、まず、ケースカバー２０２の裏面に設けられたキャップ保持部２４６に、キャップ吊支体２４５を取り付けた後、遊技制御基板３１をケースカバー２０２の裏面側に取り付ける。具体的には、図４に示されるように、前述したように、遊技制御基板３１の実装面３１ａをケースカバー２０２の裏面に対向させた状態、つまり実装面３１ａを上方に向けた状態でケースカバー２０２の裏面側に押し当てる。そして、各コネクタ用開口２３５，２３６，２３７から各コネクタ２３８が挿通されるように、遊技制御基板３１における位置決め用凸部２４１に対応する２つの角部に形成された位置決め孔２４３をそれぞれ位置決め用凸部２４１内に挿通して位置決めした状態で、遊技制御基板３１の取付用支柱２４０に対応する２つの角部に形成されたネジ取付孔２４２に基板取付ネジ２３９を取り付け、ネジ孔２４０ａに基板取付ネジ２３９を螺入して取り付ける。
【０１０１】
一方、ケース本体２０１の方は、ネジ収納部２０９の挿入孔２０９ｃ内に、予備用ワンウェイネジ２８１を収納しておく。このとき、図４に示されるように、各挿入孔２０９ｃの上面開口の上方からネジ部２８３を挿入孔２０９ｃ内に挿通するだけで、簡単に収納することができる。この収納状態において、図１０（ａ）に示されるように、ネジ部２８３は挿入孔２０９ｃ内に完全に収納され、頭部２８４のみが挿入孔２０９ｃの上面開口から外部に突出された状態で保持されているため、これら収納された予備用ワンウェイネジ２８１を使用する際において、頭部２８４を手で摘むだけで簡単に取り出すことができる。
【０１０２】
次いで、遊技制御基板３１が一体的に取り付けられたケースカバー２０２により、ケース本体２０１の上面開口を閉鎖する。具体的には、図８に示されるように、ケースカバー２０２の一方の短辺から外方に向けて突設された係止片２６０が下を向くようにケースカバー２０２を傾斜させた状態、すなわち、遊技制御基板３１の裏面３１ｂをケース本体２０１に対向させた状態で、ケース本体２０１における閉塞壁２１６の上端と垂下片２０４ｂの下端との間に係止片２６０を差し込む。そして、係止条２６０を被係止凹部２１５内に係止させた状態で、該係止部を中心としてケースカバー２０２を図中矢印方向に向けて向けて回転させ、ケースカバー２０２をケース本体２０１の側壁２０３〜２０６により囲まれた空間内に嵌め込む。
【０１０３】
ここで、ケース本体２０１の膨出部２０８ａ，２０８ｂの膨出空間Ｓ２，Ｓ３内に膨出部カバー２５０ａ，２５０ｂが嵌め込まれて、両係止爪２５１がそれぞれ係止穴２１０の開口上端縁に係止される。これにより、ケースカバー２０２の一方の短辺側が係止条２６０と被係止凹部２１５とにより係止されるとともに、他方の短辺側が係止爪２５１と係止孔２５１とにより係止され、ケースカバー２０２がケース本体２０１に対して仮止めされる。尚、この状態では、係止穴２１０の外方からそれぞれの係止爪２５１を内側に向けて押し込むことで係止状態を解除することで、ケースカバー２０２を簡単に開放させることができる。
【０１０４】
また、この状態において、膨出部カバー２５０ａの上壁裏面２５４から下方に向けて延設されたネジ規制用リブ２５３の下端が、ネジ収納部２０９に収納された３本の予備用ワンウェイネジ２８１の頭部２８４に近接した状態で配置されるため、予備用ワンウェイネジ２８１がネジ収納部２０９から逸脱して基板収納空間Ｓ１内に入り込み、遊技制御基板３１の配線パターン等を傷つけて断線させてしまうこと等が防止される。
【０１０５】
また、ケースカバー２０２の各側壁２３０〜２３３の下端が、ケース本体２０１の側壁２０３〜２０６の上端よりも下方に深く入り込んだ状態となるため、ケース本体２０１とケースカバー２０２との間から針金等の異物を進入しにくくなる。
【０１０６】
また、ネジ収納部２０９は、膨出部２０８ａの膨出空間Ｓ２内に設けられているため、遊技制御基板３１が基板収納空間Ｓ１内におけるネジ収納部２０９の上端よりも下方位置に配置された状態においても（図１０参照）、ネジ収納部２０９と干渉することがない。
【０１０７】
そしてこの状態において、ケース本体２０１の第２被固着部２１２の上方に、ケースカバー２０２の第１被固着部２５５が配置される。詳しくは、固着片２１２ａの上面に各被固着部２５５ａ〜２５５ｄが載置されると、各ネジ孔２１１ａ〜２１１ｄと各取付孔２５９とが合致し、ワンウェイネジ２８０を挿通可能な状態となる。ここで、４つの被固着部２５５ａ〜２５５ｄのうち、いずれか１つの筒状部２５６（ここでは前述したようにケースカバー２０２に表示されている使用順番号「１」に対応する被固着部２５５ａの筒状部２５６）の上面開口からワンウェイネジ２８０を挿入し、ネジ部２８３の先端を取付孔２５９に差し込んだ状態で、マイナスドライバー等の工具によりワンウェイネジ２８０を時計回りにねじ込む。
【０１０８】
これにより、ネジ部２８３の外周に形成された雄ねじのねじ切り作用により、ネジ部２８３が取付孔２５９を貫通して、固着片２１２ａ及び筒状部２１２ｂ内に貫通形成されたネジ孔２１１ａ内に螺入され、固着片２１２ａ及び被固着部２５５ａ、つまり第２被固着部２１２と第１被固着部２５５とがワンウェイネジ２８０を介して固着（カシメ）される。
【０１０９】
すなわち、ケースカバー２０２は、一方の短辺側が係止条２６０が被係止凹部２１５により係止され、他方の短辺側がワンウェイネジ２８０を介して固着されていることにより、ケース本体２０１に対してケースカバー２０２が開放不能に固着されているため、遊技制御基板３１は、実装面３１ａ及び裏面３１ｂがこれらケース本体２０１及びケースカバー２０２により被覆された状態で、基板収納ケース２００内に封止状態で収納される。
【０１１０】
尚、ワンウェイネジ２８０を完全にねじ込んだ後、その上方から、周縁部に接着剤等を塗布したキャップ２４４を筒状体２５５ａの上面開口に嵌め込んで（図５（ｂ）参照）、頭部２８４の上面に形成された溝等を被覆することにより、ワンウェイネジ２８０を取り外しにくくすることができる。
【０１１１】
この封止状態を解除してケースカバー２０２を開放しようとする場合、前述したようにワンウェイネジ２８０を反時計回りに回して取り外すことはできないため、ケース本体２０１またはケースカバー２０２の一部を破壊するか、あるいは、連接部２５７をニッパ等の工具により切断し、固着片２１２ａにワンウェイネジ２８０を介して固着されている被固着部２５５ａの筒状部２５６をケースカバー２０２から切り離すしかない。
【０１１２】
つまり、破壊または切断のいずれの方法をとるにせよ、封止状態を解除してケースカバー２０２を開放した場合には、破壊または切断の痕跡が残ることになるため、例えば不正行為によりケースカバー２０２が開放された場合でも、早期のうちに不正行為が行われたことを発見することができる。これにより、万が一不正な遊技プログラムが格納されたＲＯＭを有する遊技制御基板等にすりかえられた場合でも、早期に発見して対処することができるため、その状態で遊技が行われて遊技店が不利益を被ることを回避することができる。
【０１１３】
次に、第２被固着部２１２と第１被固着部２５５とをワンウェイネジ２８０を介して固着して封止状態を構成した後、遊技制御基板３１の故障や検査等により遊技制御基板３１を取り出すために封止状態を解除し、再度封止状態とする場合について説明する。
【０１１４】
尚、このようにネジ孔２１１ａ〜２１１ｄ及び被固着部２５５ａ〜２５５ｄを複数形成し、繰り返し封止状態とすることができるようにするのは、例えばメーカーが遊技制御基板３１を遊技店等に出荷する際に、遊技制御基板３１を基板収納ケース２００内に封止状態で収納するために、１つのネジ孔２１１ａ〜２１１ｄ及び被固着部２５５ａ〜２５５ｄを使用した後、遊技店において、上記のように遊技制御基板３１が故障して交換する場合や検査等を行うために遊技制御基板３１を取り出す場合等において、封止状態を解除することがある。その後再度封止状態とする際に他のネジ孔２１１ａ〜２１１ｄ及び被固着部２５５ａ〜２５５ｄを使用するため、これらが第２被固着部２１２及び第１被固着部２５５が複数必要となる。
【０１１５】
まず、ケースカバー２０２を開放したときに、キャップ吊支体２４５からキャップ２４４を１つ分離して取り出しておくとともに、ネジ収納部２０９から予備用ワンウェイネジ２８１を１本取り出しておく。そして、前述と同様に、ケース本体２０１の上面開口をケースカバー２０２により閉鎖する。ここで、まだ連接部２５７が切断されていない被固着部２５５ｂ〜２５５ｄのうちいずれかの筒状部（例えば前述した使用順番号「２」に対応する被固着部２５５ｂ）に予備用ワンウェイネジ２８１を挿入し、ネジ孔２１１ｂに螺入することで、前述と同様に第２被固着部２１２と第１被固着部２５５とを固着して封止状態を構成することができる。
【０１１６】
このように、第２被固着部２１２としてのネジ孔２１１ａ〜２１１ｄ及び第１被固着部２５５としての被固着部２５５ａ〜２５５ｄが複数設けられているため、ケース本体２０１やケースカバー２０２の一部を破壊することなく連接部２５７を切断するだけで、基板収納ケース２００を交換すること等なく、封止状態を解除した後でも、封止状態を複数回繰り返し構成することができる。
【０１１７】
以上説明したように、本発明の実施例１としての基板収納ケース２００にあっては、複数のうち少なくとも一対の第１被固着部としてのネジ孔２１１ａ〜２１１ｄ及び第２被固着部としての被固着部２５５ａ〜２５５ｄ同士を固着部材としてのワンウェイネジ２８０により固着することで、遊技制御基板３１を封止状態とすることができるとともに、基板収納ケース２００を破壊するかもしくは固着されたネジ孔２１１ａ〜２１１ｄの連接部２５７を切断することで、封止状態を解除してケースカバー２０２を開放することができる。さらに連接部を切断するなどして封止状態を解除した後でも、未使用の一対のネジ孔２１１ａ〜２１１ｄ及び被固着部２５５ａ〜２５５ｄ同士を予備用ワンウェイネジ２８１により固着することで、再度遊技制御基板３１を封止状態でケース内部に収納することができる。
【０１１８】
また、基板収納ケース２００を開放することにより、ネジ収納部２０９の挿入孔２０９ｃの上面開口が開放されるため、予備用ワンウェイネジ２８１をネジ収納部２０９に簡単に収納及び取り出すことができるとともに、ネジ収納部２０９に収納された予備用ワンウェイネジ２８１は、遊技制御基板３１の封止状態においてネジ収納部２０９からの逸脱が、規制部としてのネジ規制用リブ２５３の下端との当接により規制されるため、逸脱した予備用ワンウェイネジ２８１により遊技制御基板３１が損傷することを防止できる。
【０１１９】
さらに、ネジ規制用リブ２５３が、膨出部カバー２５０ａの上壁裏面２５４からネジ収納部２０９の挿入孔２０９ｃの上面開口に向けて下方に延設されていることで、ネジ収納部２０９の配設位置が、ケースカバー２０２やケース本体２０１の形状により制限されたり、あるいはケースカバー２０２やケース本体２０１の形状をネジ収納部２０９の配設位置に合わせて形成する必要がないので、基板収納ケース２００の設計が煩雑になることを回避できる。
【０１２０】
具体的は、例えばネジ収納部２０９に収納された予備用ワンウェイネジ２８１の頭部２８４からケースカバー２０２の裏面までの距離が、予備用ワンウェイネジ２８１の長さよりも大きい場合には、予備用ワンウェイネジ２８１がネジ収納部２０９から逸脱する虞がある。そこで、例えばケースカバー２０２におけるネジ収納部２０９に対応する箇所を該ネジ収納部２０９の挿入孔２０９ｃの上面開口に極力近接させようとすると、ケースカバー２０２全体の形状、あるいはネジ収納部２０９の配設位置を設計変更しなければならないが、ケースカバー２０２の裏面所定箇所からネジ規制用リブ２５３を延設することで、ケースカバー２０２全体の形状やネジ収納部２０９の配設位置を設計変更しないで済む。
【０１２１】
また、ネジ規制用リブ２５３は、３つの予備用ワンウェイネジ２８１の逸脱を規制できるように、上壁裏面２５４の長手方向にわたって延設されていることで、膨出部カバー２５０ａの強度が高まる。これにより、例えばケースカバー２０２を過って床等に落下させてしまった場合等において、膨出部カバー２５０ａが破壊されにくくなるので、その側方に設けられる第１被固着部２５５の保護作用が効果的に高まる。
【０１２２】
また、第２被固着部２１２及び第１被固着部２５５の前後側方に膨出部２０８ａ，２０８ｂが設けられることで、いずれか一側方のみに設けられている場合に比べて、これら第２被固着部２１２及び第１被固着部２５５がより効果的に保護される。
【０１２３】
また、膨出部２０８ａの膨出空間Ｓ２内に設けられたネジ収納部２０９は、複数本の予備用ワンウェイネジ２８１をまとめて収納可能であるため、各ネジ孔２１１ａ〜２１１ｄや各被固着部２５５ａ〜２５５ｄそれぞれの近傍に予備用ワンウェイネジ２８１を収納しておくよりも、ケース本体２０１の構造を簡素化することができるばかりか、予備用ワンウェイネジ２８１の管理が容易になる。
【０１２４】
また、ケース本体２０１の側壁２０３の一部に膨出部２０８ａが形成され、該膨出部２０８ａの側方に第２被固着部２１２が設けられることにより、過って基板収納ケース２００を床等に落下させた場合等においても、ネジ孔２１１ａ〜２１１ｄや被固着部２５５ａ〜２５５ｄが容易に破損することが防止されるとともに、膨出部２０８ａの内部に形成された膨出空間Ｓ２内に設けられたネジ収納部２０９に予備用ワンウェイネジ２８１を収納しておくことができるため、膨出部２０８ａを有効に利用することができるばかりか、遊技制御基板３１を内部に収納または取り出す際に予備用ワンウェイネジ２８１が邪魔になることがないように収納しておくことができる。
【０１２５】
つまり、膨出部２０８ａと第２被固着部２１２とが、ケース本体２０１における一側辺の長手方向に向けて直線状に配設されるとともに、特にネジ孔２１１ａ〜２１１ｄとネジ収納部２０９とが一側辺に沿うように配置されることで、ケース本体２０１外形に凹凸部が形成されることがないので、ケース本体２０１の構造を簡素化できるばかりか、保管や輸送時における収納性が向上する。
【０１２６】
また、ネジ収納部２０９は、ケース本体２０１の内部における基板収納空間Ｓ１から外側に張り出すように設けられた膨出空間Ｓ２内、すなわち、遊技制御基板３１の封止状態において遊技制御基板３１と上下方向に重合しない位置に配設されているとともに、遊技制御基板３１は、膨出空間Ｓ２内に張り出さないように設けられていることで、予備用ワンウェイネジ２８１の収納及び取り出しの際に遊技制御基板３１と干渉することがない。
【０１２７】
さらに、予備用ワンウェイネジ２８１は、ネジ収納部２０９の挿入孔２０９ｃの上面開口を介して内部に挿入される挿入部であるネジ部２８３と、該ネジ部２８３の一端に設けられる頭部２８４と、から構成され、ネジ収納部２０９は、予備用ワンウェイネジ２８１を収納した状態において、頭部２８４が挿入孔２０９ｃの上面開口の外部に突出した状態で保持されるように構成されていることで、予備用ワンウェイネジ２８１のネジ収納部２０９からの取り出しが容易になる。
【０１２８】
また、遊技制御基板３１は、複数の電子部品及びコネクタ２３８が実装される実装面３１ａと該実装面３１ａと反対側の裏面３１ｂとを有し、ケースカバー２０２は、コネクタ２３８に対応する箇所に、該コネクタ２３８の接続口２３８ａをケース外部に開放するためのコネクタ用開口２３５，２３６，２３７が形成されるとともに、遊技制御基板３１を取り付け可能に構成され、遊技制御基板３１は、実装面３１ａをケースカバー２０２により被覆し、かつ、裏面３１ｂをケース本体２０１に対向させた状態で基板収納ケース２００の内部に封止状態で収納されるため、基板収納ケース２００を開放しても、実装面３１ａがケースカバー２０２により覆われた状態で遊技制御基板３１が取り付けられていることで、ケースカバー２０２からの遊技制御基板３１の取り外しに時間がかかり、電子部品やコネクタ２３８等に対する不正行為を行いにくくなる。
【実施例２】
【０１２９】
次に、本発明の実施例２としての基板収納ケース２００’について、図１１〜図１４に基づいて説明する。図１１は、本発明の実施例２としての基板収納ケース２００’を示す分解斜視図であり、図１２は、（ａ）は基板収納ケースを示す平面図であり、（ｂ）は基板収納ケースを示す斜視図であり、図１３は、（ａ）はケースカバーを示す底面図であり、（ｂ）はケース本体を示す平面図であり、図１４は、図１２（ａ）のＤ−Ｄ断面図である。
【０１３０】
実施例１における基板収納ケース２００は、２つのうち一方の短辺側を中心として、ケース本体２０１に対してケースカバー２０２を回動させることによりケースカバー２０２を開閉することができるようになっていたが、本実施例２における基板収納ケース２００’は、左右の両短辺に第２被固着部２１２及び第２被固着部が設けられ、ケース本体２０１及びケースカバー２０２を２辺で固着するとともに、ケース本体２０１に対してケースカバー２０２を垂直方向に移動させることでケースカバー２０２を開閉するものである。
【０１３１】
以下、本実施例２の基板収納ケース２００’において、前記実施例１の基板収納ケース２００と相違する点を、図１１〜図１２に基づいて説明する。尚、本実施例２において、実施例１の基板収納ケース２００と同様の構成部位に関しては、同様の符号を付すことでここでの詳細な説明は省略することとする。
【０１３２】
まず、ケース本体２０１の一方の短辺の側壁２０３は、特に図１３（ｂ）に示されるように、長手方向の略中央に位置する中央側壁２０３ａと、該中央側壁２０３ａの左右側方に位置する膨出壁２０３ｂ，２０３ｃと、中央側壁２０３ａと膨出壁２０３ｂ，２０３ｃとを連接する連接壁２０３ｄと、により、平面視で略凹状に形成されている。つまり、これら膨出壁２０３ｂ，２０３ｃ及び連接壁２０３ｄにより、中央側壁２０３ａの長手方向の左右側には、本体内部側から外側に向けて膨出する平面視略長方形状をなす膨出部２０８ａ，２０８ｂが形成されており、膨出部２０８ａの内部の膨出空間Ｓ２内には、ネジ収納部２０９が設けられている。また、中央側壁２０３ａの外側には、ワンウェイネジ２８０が螺入される複数のネジ孔２１１ａ〜２１１ｄが形成される第２被固着部２１２が形成されている。
【０１３３】
一方、他方の短辺の側壁２０４は、長手方向の略中央に位置する中央側壁２０４ａと、該中央側壁２０４ａの左右側方に位置する膨出壁２０４ｂ，２０４ｃと、中央側壁２０４ａと膨出壁２０４ｂ，２０４ｃとを連接する連接壁２０４ｄと、により、平面視で略凹状に形成されている。つまり、これら膨出壁２０４ｂ，２０４ｃ及び連接壁２０４ｄにより、中央側壁２０４ａの長手方向の左右側には、本体内部側から外側に向けて膨出する平面視略長方形状をなす膨出部２０８ａ，２０８ｂが形成されており、膨出部２０８ａの内部の膨出空間Ｓ２内には、ネジ収納部２０９が設けられている。また、中央側壁２０４ａの外側には、ワンウェイネジ２８０が螺入される複数のネジ孔２１１ａ〜２１１ｄが形成される第２被固着部２１２が形成されている。
【０１３４】
ケースカバー２０２の側壁２３１におけるケース本体２０１の側壁２０４側の膨出部２０８ａ，２０８ｂに対応する箇所には、膨出部２０８ａ，２０８ｂよりもそれぞれ一回り小さい膨出部カバー２５０ａ，２５０ｂが外側に向けて膨出するように形成されている。また、ネジ収納部２０９に対応する膨出部カバー２５０ａの上壁裏面２５４には、膨出部カバー２５０ａの長手方向に向けて延びるネジ規制用リブ２５３が下方に向けて垂設されている。また、側壁２３０における両膨出部カバー２５０ａ，２５０ｂの間には、筒状部２５６及び連接部２５７とからなる複数（本実施例では４つ）の被固着部２５５ａ〜２５５ｄが、ケース本体２０１の各ネジ孔２１１ａ〜２１１ｄに対向する箇所に複数形成されていおり、これら固着部により第１被固着部２５５が構成されている。また、ケースカバー２０２の上板２０２ａの表面には、左右それぞれの被固着部２５５ａ〜２５５ｄ及び各ネジ孔２１１ａ〜２１１ｄの使用順番号「１，２，３，４」（図１１，図１２参照）がそれぞれ表示されている。
【０１３５】
尚、ケース本体２０１における左右の膨出部２０８ａ，２０８ｂ及び第２被固着部２１２と、ケースカバー２０２における左右の膨出部カバー２５０ａ，２５０ｂ及び第２被固着部とは、基板収納ケース２００’の中央位置を中心として上下及び左右に反転した状態で配置され、重量等のバランス化が図られている。
【０１３６】
一方、ケースカバー２０２の側壁２３１におけるケース本体２０１の側壁２０４側の膨出部２０８ａ，２０８ｂに対応する箇所には、膨出部２０８ａ，２０８ｂよりもそれぞれ一回り小さい膨出部カバー２５０ａ，２５０ｂが外側に向けて膨出するように形成されている。また、ネジ収納部２０９に対応する膨出部カバー２５０ａの上壁裏面２５４には、膨出部カバー２５０ａの長手方向に向けて延びるネジ規制用リブ２５３が下方に向けて垂設されている。また、側壁２３０における両膨出部カバー２５０ａ，２５０ｂの間には、筒状部２５６及び連接部２５７とからなる複数（本実施例では４つ）の被固着部２５５ａ〜２５５ｄが、ケース本体２０１の各ネジ孔２１１ａ〜２１１ｄに対向する箇所に複数形成されており、これら固着部により第１被固着部２５５が構成されている。
【０１３７】
このように構成された基板収納ケース２００’において、遊技制御基板３１が一体的に取り付けられたケースカバー２０２により、ケース本体２０１の上面開口を閉鎖する場合、図１４に示されるように、遊技制御基板３１の裏面３１ｂをケース本体２０１に対向させた状態で、ケースカバー２０２をケース本体２０１の側壁２０３〜２０６により囲まれた空間内に嵌め込む。
【０１３８】
ここで、ケース本体２０１の各膨出部２０８ａ，２０８ｂの膨出空間Ｓ２，Ｓ３内に膨出部カバー２５０ａ，２５０ｂが嵌め込まれて、両係止爪２５１がそれぞれ係止穴２１０の開口上端縁に係止され、ケースカバー２０２の両短辺側が係止爪２５１と係止孔２５１とにより係止され、ケースカバー２０２がケース本体２０１に対して仮止めされる。
【０１３９】
その後、両側壁２３０，２３１それぞれの４つの被固着部２５５ａ〜２５５ｄのうち、いずれか１つの筒状部（ここでは使用順番号「１」に対応する左右の被固着部２５５ａ）の上面開口からワンウェイネジ２８０を挿入し（図１２（ｂ）参照）、ネジ部２８３の先端を取付孔２５９に差し込んだ状態で、マイナスドライバー等の工具によりワンウェイネジ２８０を時計回りにねじ込み、第２被固着部２１２と第１被固着部２５５とをワンウェイネジ２８０を介して固着（カシメ）する。
【０１４０】
尚、１回の封止において、ワンウェイネジ２８０を挿入する左右の被固着部２５５は、基板収納ケース２００’の中央位置の中心を通る対角線上の左右に配置された被固着部２５５，２５５、つまり使用順番号が同一の被固着部２５５，２５５を選択することが好ましく、このようにすることで、左右の固着部それぞれが短辺の長手方向のうち一方端寄りに偏ることで、ケースカバー２０２の一方の長辺側を浮かせて隙間を形成することを効果的に防止できる。
【０１４１】
このように、本実施例２の基板収納ケース２００’にあっては、左右の両短辺側に、第２被固着部２１２と第１被固着部２５５及び膨出部２０８ａと膨出部カバー２５０ａとが設けられていることで、ワンウェイネジ２８０を介して２辺を固着できるばかりか、膨出部２０８ａ内に予備用ワンウェイネジ２８１を収納しておくことができる。つまり、ケース本体２０１に対するケースカバー２０２の開放及び閉鎖を、実施例１の基板収納ケース２００のように回動動作により行うものではないが、左右の２辺を確実に固着して封止状態の解除をより困難とすることで、不正行為を効果的に防止している。また、その他の構成部位は前記実施例１の基板収納ケース２００と同様であるため、実施例１と同様の作用・効果を奏する。
【実施例３】
【０１４２】
次に、本発明の実施例３としての基板収納ケース２００’’について、図１５〜図２０に基づいて説明する。図１５は、本発明の実施例３としての基板収納ケースを示す分解斜視図であり、図１６は、（ａ）は基板収納ケースを示す平面図であり、（ｂ）は基板収納ケースを示す斜視図であり、図１７は、（ａ）はケースカバーを示す底面図であり、（ｂ）は（ａ）のＥ−Ｅ断面図であり、図１８は、ケース本体を示す平面図であり、図１９は、ケースカバーをスライドさせて閉鎖する状況を示す基板収納ケースの要部斜視図であり、図２０は、（ａ）は図１６（ａ）のＦ−Ｆ断面図であり、（ｂ）は図１６（ａ）のＧ−Ｇ断面図である。
【０１４３】
実施例１における基板収納ケース２００は、２つのうち一方の短辺側を中心として、ケース本体２０１に対してケースカバー２０２を回動させることによりケースカバー２０２を開閉することができ、実施例２における基板収納ケース２００’は、左右の短辺に設けられた第２被固着部２１２及び第２被固着部により２辺を固着するものであったが、本実施例３の基板収納ケース２００’’は、ケース本体２０１に対して平行に、ケースカバー２０２を長手方向にスライド移動させることでケースカバー２０２を開閉するものである。
【０１４４】
以下、本実施例３の基板収納ケース２００’’において、前記実施例１の基板収納ケース２００と相違する点を、図１５〜図２０に基づいて説明する。尚、本実施例３において、実施例１の基板収納ケース２００と同様の構成部位に関しては、同様の符号を付すことでここでの詳細な説明は省略することとする。
【０１４５】
図１５及び図１８に示されるように、ケース本体２０１の側壁２０５，２０６には、ケースカバー２０２側に設けられる後述するガイド片３５５をガイドするガイド溝３００が、それぞれ長手方向に渡って一定間隔おきに複数（本実施例では３つ）形成されている。ガイド溝３００は、ガイド片３５５を側壁２０５，２０６の長手方向に向けて平行にガイドする直線状の水平溝３５０ａと、該溝３５０ａの一端から側壁２０５，２０６の上端に向けて形成される水平溝３５０ａよりも幅広の垂直溝３５０ｂとから、側面視で略Ｌ字形をなすように形成されている。
【０１４６】
また、側壁２０５，２０６の内側には、底板２０１ａの上面から立設された閉塞壁３５８が、側壁２０５，２０６に沿って長手方向に渡って延設されており、この閉塞壁３５８と側壁２０５，２０６との間に形成される上向きに開口する凹溝内には、後述するケースカバー２０２のガイドカバー部３５４における内板３５４ｂの下端が嵌合されるようになっており（図２０（ｃ）参照）、これにより、内板３５４ｂの下端と底板２０１ａの上面との間からの異物の進入を防止している。
【０１４７】
側壁２０３側には、基板収納ケース２００と同様に、内部に膨出空間Ｓ２，Ｓ３を有する膨出部２０８ａ，２０８ｂ、第２被固着部２１２、ネジ収納部２０９がそれぞれ形成されている。尚、第２被固着部２１２の固着片２１２ａは、中央側壁２０３ａの上端と同高さ位置に形成されているとともに、固着片２１２ａの長手方向の一端側が膨出部２０８ｂの上方まで延設されており、膨出部２０８ｂの膨出空間Ｓ３の上方を被覆するカバー部３５１とされている。
【０１４８】
側壁２０３と反対側の短辺には、側壁２０４に相当する側壁はなく、側壁２０３と反対側の短辺は開放されており、ケースカバー２０２の側壁により閉鎖されるようになっている。底板２０１ａにおける側壁２０３と反対側の短辺からは、後述するケースカバー２０２の側壁２３１の下部に設けられた横長のスリット３６０（図２０（ａ）参照）に差し込み可能な差込片３５２，３５２を先端に有する水平片３５３が形成されている。
【０１４９】
一方、ケースカバー２０２は、図１５及び図１７に示されるように、側壁２３２，２３３のさらに外側に、ケース本体２０１の側壁２０５，２０６の上端にそれぞれ嵌合可能なガイドカバー部３５４，３５４が形成されている。このガイドカバー部３５４は、特に図１４（ｂ）に示されるように、外板３５４ａ、内板３５４ｂ、上板３５４ｃにより、縦断面下向き凹状に形成されており、ケースカバー２０２によりケース本体２０１を閉鎖する際に、これら外板３５４ａ、内板３５４ｂ、上板３５４ｃにより囲まれた内部空間にケース本体２０１の側壁２０５，２０６の上端を嵌合した状態で、ケース本体２０１に対してケースカバー２０２を長手方向に向けてスライド移動できるようになっている。
【０１５０】
ガイドカバー部３５４の内部における上記各ガイド溝３００に対応する箇所には、ガイド溝３００の水平溝３００ａ内に嵌合可能な水平方向を向くガイド片３５５が、その両端を外板３５４ａ及び内板３５４ｂの内面における上板３５４ｃの下方所定箇所に固着されて設けられている。つまりガイド片３５５は、上板３５４ｃから離間した下方位置に配置されている。尚、上板３５４ｃにおける各ガイド片３５５の直上位置には、ガイド片３５５を成形するための成形用開口３５６が形成されている。
【０１５１】
側壁２３０には、４つの被固着部２５５ａ〜２５５ｄからなる第１被固着部２５５が設けられているとともに、膨出部２０８ａに対応する箇所には、該膨出部２０８ａの上方を被覆するための膨出部カバー３５７が突設されている。この膨出部カバー３５７は、庇片３５７ａと、その前後両端から垂下される垂下片３５７ｂと、から構成されており、後述するようにケースカバー２０２をスライドさせる際に、先端開口からネジ収納部２０９を挿入できるようになっている。
【０１５２】
他方の側壁２３１は、前述したように、ケース本体２０１の一方の短辺開口を閉塞可能な上下幅を有しており、その下部には、前述した差込片３５２，３５２が差し込まれるスリット３６０（図２０（ａ）参照）が２箇所に形成されており、ケースカバー２０２の閉鎖状態において、ケースカバー２０２の側壁２３１側が差込片３５２により係止されて浮き上がりが防止されるようになっている。また、このスリット３６０の上方には、庇片２３１ａ（図２０（ａ）参照）が長手方向に渡り延設されているため、ケースカバー２０２の上方から差込片３５２，３５２を容易に切断してケースカバー２０２を開放することができないようになっている。
【０１５３】
次に、ケース本体２０１の上面開口をケースカバー２０２により閉鎖する状況について、図１９及び図２０に基づいて説明する。
【０１５４】
まず、実施例１の基板収納ケース２００と同様に、遊技制御基板３１をケースカバー２０２の裏面側に取り付け、かつ、予備用ワンウェイネジ２８１をネジ収納部２０９に収納した状態で、ケース本体２０１に対して遊技制御基板３１の裏面３１ｂを対向させた姿勢で、かつ、各ガイド片３５５を各ガイド溝３００の開口直上に配置した状態で、ケースカバー２０２をケース本体２０１に向けて下降させる。尚、この際にケースカバー２０２の上方からは各ガイド片３５５は見えないが、その直上に配置される成形用開口３５６を目安としてガイド片３５５をガイド溝３００の開口直上に配置することができる。
【０１５５】
そして、図２０（ａ）中２点鎖線で示されるように、ガイド溝３００の開口からガイド片３５５が垂直溝３５０ｂ内に遊挿された状態において、ケースカバー２０２は、ケース本体２０１に対して長手方向に若干ずれた位置に配置される。この状態において、側壁２０５，２０６の上端にガイドカバー部３５４が嵌合する。
【０１５６】
この状態から、ケースカバー２０２を側壁２３０側に向けて水平に押し込む（図１９参照）。このとき、ケースカバー２０２は、側壁２０５，２０６の上端に嵌合されたガイドカバー部３５４により移動方向に対する左右方向のブレが防止される。そして、図２０（ａ）中実線で示されるように、ケースカバー２０２の側壁２３１に形成されたスリット３６０内に差込片３５２が差し込まれて水平片３５３の端面が側壁２３１の内面に当接し、かつ、図２０（ｂ）に示されるように、膨出部カバー３５７の庇片３５７ａの先端がケース本体２０１の膨出壁２０３ｂの内面にて当接することで、ケース本体２０１に対するケースカバー２０２のスライド移動が規制され、該ケースカバー２０２が閉鎖位置に位置決めされる。
【０１５７】
また、ガイド片３５５は、ケースカバー２０２のスライド移動に伴い、垂直溝３５０ｂから直線溝３５０ａ内に入り込むため（図２０（ａ）参照）、閉鎖位置において、直線溝３５０ａの上方の側壁２０６により上方への移動、つまり浮き上がりが確実に防止される。
【０１５８】
また、膨出部２０８ａの膨出空間Ｓ２内に設けられたネジ収納部２０９に収納されている予備用ワンウェイネジ２８１の頭部２８４の直上に庇片３５７ａが近接配置されるため、ネジ収納部２０９からの予備用ワンウェイネジ２８１の逸脱が防止される。
【０１５９】
その後、４つの被固着部２５５ａ〜２５５ｄのうちいずれか１つの筒状部（ここでは被固着部２５５ａ）の上面開口からワンウェイネジ２８０を挿入し（図１６（ｂ）参照）、ネジ部２８３の先端を取付孔２５９に差し込んだ状態で、マイナスドライバー等の工具によりワンウェイネジ２８０を時計回りにねじ込み、第２被固着部２１２と第１被固着部２５５とをワンウェイネジ２８０を介して固着（カシメ）する。
【０１６０】
このように、本実施例３の基板収納ケース２００’’にあっては、ケース本体２０１に対してケースカバー２０２を水平方向にスライド移動させることにより、ケースカバー２０２を簡単に開閉することができる。また、その他の構成部位は前記実施例１の基板収納ケース２００と同様であるため、実施例１と同様の作用・効果を奏する。
【０１６１】
次に、上記実施例１〜３において適用された遊技制御基板３１の配線パターンについて、図２１を用いて説明する。図２１は、（ａ）は遊技制御基板の実装面３１ａの要部を示す図であり、（ｂ）は遊技制御基板の裏面３１ｂの要部を示す図である。
【０１６２】
各種コネクタ２３８は、図２１（ａ）に示されるように、遊技制御基板３１の実装面３１ａ上に配設されている。具体的には、接続口２３８ａを上方を向くとともに、コネクタ２３８の裏面から複数突設された端子（図示略）を、遊技制御基板３１に貫通形成された端子挿通孔４００内に実装面３１ａ側から挿通し、該端子挿通孔４００を介して裏面３１ｂ側に突出した端子を半田により溶着して固定するようになっている。
【０１６３】
実装面３１ａ上における各種コネクタ２３８の周囲（具体的には、ケースカバー２０２に形成されるコネクタ用開口２３５，２３６，２３７に対応する領域）には、各コネクタ２３８の端子と接続される配線パターン４０１は形成されておらず、これら配線パターン４０１は、裏面３１ｂにおける各端子挿通孔４００から延設されている（図２１（ｂ）参照）。
【０１６４】
ここで、例えば各コネクタ２３８の本体側面とコネクタ用開口２３５，２３６，２３７の開口端縁との間に形成される僅かな隙間から、不正な電子部品から延設された配線等を挿通されて配線パターン４０１に接続され、不正な信号等が遊技制御用マイコン内に出力される虞があるが、このように配線パターン４０１を裏面３１ｂ側に形成することで、コネクタ用開口２３５，２３６，２３７、すなわちケースカバー２０２との対向面である実装面３１ａ上に配線パターン４０１を形成する場合と比較して、不正な電子部品からの配線を配線パターン４０１に接続される可能性が低くなる。よって、遊技制御用マイコン内に不正な信号等を入力するといった不正行為を効果的に抑制することができる。
【０１６５】
また、遊技制御基板３１を封止状態で収納する基板収納ケース２００，２００’，２００’’は、図２に示されるように、ケースカバー２０２を外方に向けた状態でパチンコ機１の背面側に取り付けられる。つまり、遊技制御基板３１は、実装面３１ａが外方を向いた状態で取り付けられるため、実装面３１ａに対して不正行為を行う場合に比較して、裏面３１ｂに対して不正行為を行う場合の方がより不正行為が困難となるため、不正行為を抑制できる。
【０１６６】
次に、本発明の変形例１〜５について、図２２〜図２６に基づいて説明する。
【０１６７】
尚、以下の変形例１〜５において、実施例１の基板収納ケース２００と同様の構成部位に関しては、同様の符号を付すことで各変形例での詳細な説明は省略することとする。
【０１６８】
（変形例１）
図２２は、（ａ）は本発明の変形例１としての遊技制御基板及び基板収納ケースを示す要部平面図であり、（ｂ）は（ａ）のＩ−Ｉ断面図である。
【０１６９】
本変形例１の基板収納ケース１２００は、ケース本体２０１の側壁２０３に膨出部等が形成されておらず、平面視長方形状の側壁２０３〜２０６が形成されている。従ってネジ収納部２０９は、側壁２０３の長手方向の一端側に偏った状態で側壁２０３に沿って設けられている。このように、ネジ収納部２０９は膨出部内に設けられていなくてもよく、この場合、遊技制御基板３１におけるネジ収納部２０９に対応する箇所に切欠部３１ａを形成し、遊技制御基板３１とネジ収納部２０９に収納された予備用ワンウェイネジ２８１とが上下方向に重合し、互いに干渉することがないようにすることが好ましい。
【０１７０】
また、本変形例１におけるネジ規制用リブ２５３’は、ケースカバー２０２の裏面所定箇所から下方のネジ収納部２０９に向けて延設されている。このようにネジ規制用リブ２５３’は、必ずしも膨出部を覆う膨出部カバーの裏面から延設されているものでなくてもよく、ケースカバー２０２の本体部裏面から延設されていてもよい。
【０１７１】
（変形例２）
図２３は、（ａ）、（ｂ）は本発明の変形例２としての遊技制御基板及び基板収納ケースを示す要部断面図である。
【０１７２】
前記実施例１〜３において、ネジ収納部２０９に収納された予備用ワンウェイネジ２８１は、ケースカバー２０２の裏面所定箇所からネジ収納部２０９に向けて延設された規制部としてのネジ規制用リブ２５３により、ネジ収納部２０９からの逸脱が規制されるようになっていたが、例えば図２３（ａ）（ｂ）に示されるように、基板収納ケース２００内に収納される遊技制御基板３１の一部により規制されるようにしてもよい。
【０１７３】
尚、図２３（ａ）の場合、ケースカバー２０２を開放することで、該ケースカバー２０２とともに遊技制御基板３１もなくなるため、ケースカバー２０２を開放することで簡単に予備用ワンウェイネジ２８１を取り出すことができる。
【０１７４】
また、前記実施例１〜３において、ネジ収納部２０９はケース本体２０１に設けられていたが、図２３（ｂ）に示されるように、ネジ収納部２０９をケースカバー２０２側に設けてもよい。
【０１７５】
（変形例３）
図２４は、（ａ）は本発明の変形例３としてのケース本体及びネジ収納部を示す要部断面図であり、（ｂ）は図１の要部拡大平面図である。
【０１７６】
前記実施例１〜３において、ネジ収納部２０９は、ケース本体２０１に形成された膨出部２０８ａの膨出空間Ｓ２内に固設されていたが、図２４（ａ）に示されるように、板状部２０９ａ及び筒状部２０９ｂとからなる一体のネジ収納部材を、ケース本体２０１やケースカバー２０２に対して取り外し自在に取り付けできるようにしてもよい。
【０１７７】
図２４（ｂ）に示されるように、側壁２０６及び連接壁２０３ｄそれぞれの内面には、上下方向に向けて一対の垂直条４２０，４２０が延設されており、これら一対の垂直条４２０，４２０間に形成された凹溝内に、ネジ収納部材の板状部２０９ａの長手方向両端を嵌合可能としておけば、ネジ収納部材を膨出空間Ｓ２に対して取り出し及び取り外し自在とすることができる。このようにすることで、例えば複数本の予備用ワンウェイネジ２８１を収納する際において、ケース本体２０１から取り出した状態でネジ部２８３を挿入孔２０９ｃ内に挿入することができるため、作業性が向上する。
【０１７８】
尚、本変形例３では、このようにネジ収納部２０９を構成するネジ収納部材をケース本体２０１やケースカバー２０２に対して着脱自在に設けるために、上下方向を向く一対の垂直条４２０，４２０間に形成された凹溝内に嵌合できるようにしていたが、例えば弾性変形可能な係止爪による係止や、ネジ等の取付部材等により着脱自在に設けてもよい。
【０１７９】
（変形例４）
図２５は、（ａ）は本発明の変形例４としてのケース本体及びネジ収納部を示す要部断面図であり、（ｂ）は（ａ）のＪ−Ｊ断面図である。
【０１８０】
前記実施例１〜３において、ケース本体２０１における第２被固着部２１２の長手方向の両側には、ネジ収納部２０９が設けられる膨出部２０８ａ及びネジ収納部２０９を有しない膨出部２０８ｂがそれぞれ形成されていたが、図２５（ａ）に示されるように、第２被固着部２１２が設けられた一側辺に１つの膨出部２０８ａのみを形成し、該膨出部２０８内にネジ収納部２０９を設けるようにしてもよい。具体的には、側壁２０３の長手方向の一端側に第２被固着部２１２を設け、他端側に膨出部２０８ａを形成する。
【０１８１】
また、前記実施例１〜３において、ケース本体２０１の内部空間は、基板収納空間Ｓ１及び該基板収納空間Ｓ１に連通する膨出空間Ｓ２，Ｓ３とを有しており、これら空間は区画されていなかったが、基板収納空間Ｓ１内に配設される遊技制御基板３１と、膨出空間Ｓ２内に配設されるネジ収納部２０９との間に、図２５（ａ）（ｂ）に示されるように、底板２０１ａの上面から立設され、基板収納空間Ｓ１と膨出空間Ｓ２とを仕切るように配設される仕切り壁４３０を形成してもよい。
【０１８２】
このように仕切り壁４３０を立設することにより、万一予備用ワンウェイネジ２８１がネジ収納部２０９から逸脱しても、該予備用ワンウェイネジ２８１が基板収納空間Ｓ１内に入り込むことを防止できる。
【０１８３】
（変形例５）
図２６は、（ａ）は本発明の変形例５としてのケース本体及びネジ収納部を示す要部断面図である。
【０１８４】
前記実施例１〜３において、ネジ規制用リブ２５３は、ケースカバー２０２の膨出部カバー２５０ａの上壁裏面２５４から下方のネジ収納部２０９に向けて延設されていたが、ネジ規制用リブ２５３は、必ずしも膨出部を覆う膨出部カバー２５０ａの上壁裏面２５４から延設されているものでなくてもよく、ケースカバー２０２の本体部内面における傾斜面４３１等から延設されていてもよい。
【０１８５】
以上、本発明の実施例を図面により説明してきたが、本発明はこの実施例に限定されるものではなく、本発明の主旨を逸脱しない範囲における変更や追加があっても本発明に含まれることは言うまでもない。
【０１８６】
例えば、前記実施例１〜３では、ネジ収納部２０９からの予備用ワンウェイネジ２８１の逸脱を当接規制する規制部としてのネジ押さえ片３５７は、封止状態においてケースカバー２０２におけるネジ収納部２０９の直上位置、すなわち収納口との対向面から下方に向けて延設されていたが、封止状態においてネジ収納部２０９からの予備用ワンウェイネジ２８１の逸脱を当接規制可能であれば、ネジ押さえ片３５７の端部とケースカバー２０２の内面との連接位置は収納口との対向面に限定されるものではなく、対向面以外の箇所、例えば膨出部カバー２５０ａの内面側方から水平方向に延設されていてもよい。
【０１８７】
また、前記実施例１〜３では、ネジ押さえ片３５７が、膨出部カバー２５０ａの内面における長手方向にわたって延びる板状に構成されていたが、各予備用ワンウェイネジ２８１をそれぞれ個別に当接規制可能な柱状部材にて構成されていてもよい。
【０１８８】
また、前記実施例１〜３では、ネジ収納部２０９が予備用ワンウェイネジ２８１のネジ部２８３を挿入可能な挿入孔２０９ｃにて形成され、収納時において頭部２８４が外部に突出するようになっていたが、予備用ワンウェイネジ２８１全体が収納されるように構成されていてもよい。
【０１８９】
また、前記実施例１〜３では、膨出部２０８ａは、平面視略長方形状に形成されていたが、形状は種々に変形可能であり、例えば半円形状等に形成されていてもよい。
【０１９０】
また、前記実施例１〜３では、膨出部カバー２５０ａは膨出部２０８ａの周壁内側に嵌まり込むように構成されていたが、周壁の外側に嵌まり込むようにしてもよい。
【０１９１】
また、前記実施例１〜３の基板収納ケースは、遊技機の一例であるパチンコ機１に設けられるものであったが、スロットマシン等の他の遊技機にも適用可能である。
【０１９２】
また、前記実施例１〜３では、基板収納ケースは遊技制御基板３１を内部に収納可能なケースとして説明してきたが、内部に収納する制御基板は上記遊技制御基板に限定されるものではなく、例えば賞球制御基板３７や表示制御基板８０等を収納するケースであってもよい。
【０１９３】
また、前記実施例１〜３では、主に基板収納ケースが開放されて遊技制御基板３１が不正な制御基板に交換されること等を防止するための構造を記載してきたが、例えば制御基板を含む基板収納ケースごと遊技機から取り外されて制御基板や基板収納ケースが交換されることを防止することを目的として、例えばケース本体２０１及びケースカバー２０２のうちの一方または双方の所定箇所に、製造番号や固有の識別番号（ＩＤ）等が記憶されたＩＣタグ等を設けておき、該ＩＣタグに記憶されている正規な製造番号や固有の識別番号（ＩＤ）等を所定の読み取り装置により適宜読み出して遊技店側等で確認できるようにすることで、制御基板を含む基板収納ケースそのものが不正に交換されることを防止するようにしてもよい。
【０１９４】
さらにこの場合、このようなＩＣタグを、例えばケース本体２０１とケースカバー２０２とを跨ぐように貼着され、ケースカバーを開放したときには破断して再封印することができない脆性体からなるいわゆる封印シールに一体的に設けたり、あるいは該封印シールによりケース本体やケースカバーに貼着することが好ましい。このようにすれば、ＩＣタグ自体が不正なＩＣタグに交換されたり、紛失していることを読み取り装置により判定できるため、早期のうちに対処できる。また、製造番号や固有の識別番号（ＩＤ）等をこのような封印シールに視認可能に印刷してもよい。
【図面の簡単な説明】
【０１９５】
【図１】本発明が適用されたパチンコ機を示す正面図である。
【図２】図１のパチンコ機を示す背面図である。
【図３】本実施例のパチンコ機１に設けられた各種基板と各種電気部品との接続状況並びに遊技制御基板３１における回路構成の一例を示すブロック図である。
【図４】基板収納ケースを示す分解斜視図である。
【図５】（ａ）は基板収納ケースを示す平面図であり、（ｂ）は基板収納ケースを示す斜視図である。
【図６】（ａ）はケースカバーを示す底面図であり、（ｂ）はケース本体を示す平面図である。
【図７】（ａ）はケースカバーの要部を斜め下方から見上げた状態を示す斜視図であり、（ｂ）はケース本体の要部を斜め上方から見た状態示す斜視図である。
【図８】図５（ａ）のＡ−Ａ断面図である。
【図９】制御基板の封止状態の基板収納ケースを示す一部破断側面図である。
【図１０】（ａ）は図９のＢ−Ｂ断面図であり、（ｂ）は図９のＣ−Ｃ断面図である。
【図１１】本発明の実施例２としての基板収納ケース２００’を示す分解斜視図である。
【図１２】（ａ）は基板収納ケースを示す平面図であり、（ｂ）は基板収納ケースを示す斜視図である。
【図１３】（ａ）はケースカバーを示す底面図であり、（ｂ）はケース本体を示す平面図である。
【図１４】図１２（ａ）のＤ−Ｄ断面図である。
【図１５】本発明の実施例３としての基板収納ケースを示す分解斜視図である。
【図１６】（ａ）は基板収納ケースを示す平面図であり、（ｂ）は基板収納ケースを示す斜視図である。
【図１７】（ａ）はケースカバーを示す底面図であり、（ｂ）は（ａ）のＥ−Ｅ断面図である。
【図１８】ケース本体を示す平面図である。
【図１９】ケースカバーをスライドさせて閉鎖する状況を示す基板収納ケースの要部斜視図である。
【図２０】（ａ）は図１６（ａ）のＦ−Ｆ断面図であり、（ｂ）は図１６（ａ）のＧ−Ｇ断面図である。
【図２１】（ａ）は遊技制御基板の実装面３１ａの要部を示す図であり、（ｂ）は遊技制御基板の裏面３１ｂの要部を示す図である。
【図２２】（ａ）は本発明の変形例１としての遊技制御基板及び基板収納ケースを示す要部平面図であり、（ｂ）は（ａ）のＩ−Ｉ断面図である。
【図２３】（ａ）、（ｂ）は本発明の変形例２としての遊技制御基板及び基板収納ケースを示す要部断面図である。
【図２４】（ａ）は本発明の変形例３としてのケース本体及びネジ収納部を示す要部断面図であり、（ｂ）は図１の要部拡大平面図である。
【図２５】（ａ）は本発明の変形例４としてのケース本体及びネジ収納部を示す要部断面図であり、（ｂ）は（ａ）のＪ−Ｊ断面図である。
【図２６】（ａ）は本発明の変形例５としてのケース本体及びネジ収納部を示す要部断面図である。
【符号の説明】
【０１９６】
２００              基板収納ケース
２０１              ケース本体
２０２              ケースカバー
２０８ａ，２０８ｂ  膨出部
２０９              ネジ収納部
２１２              第２被固着部
２５０ａ，２５０ｂ  膨出部カバー
２５３              ネジ規制用リブ
２５５ａ〜ｄ        第１被固着部
２５６              筒状部
２５７              連接部
２８１              予備用ワンウェイネジ
Ｓ１                基板収納空間
Ｓ２、Ｓ３          膨出空間
【図１】
2008093297.tif 000003
【図２】
2008093297.tif 000004
【図３】
2008093297.tif 000005
【図４】
2008093297.tif 000006
【図５】
2008093297.tif 000007
【図６】
2008093297.tif 000008
【図７】
2008093297.tif 000009
【図８】
2008093297.tif 000010
【図９】
2008093297.tif 000011
【図１０】
2008093297.tif 000012
【図１１】
2008093297.tif 000013
【図１２】
2008093297.tif 000014
【図１３】
2008093297.tif 000015
【図１４】
2008093297.tif 000016
【図１５】
2008093297.tif 000017
【図１６】
2008093297.tif 000018
【図１７】
2008093297.tif 000019
【図１８】
2008093297.tif 000020
【図１９】
2008093297.tif 000021
【図２０】
2008093297.tif 000022
【図２１】
2008093297.tif 000023
【図２２】
2008093297.tif 000024
【図２３】
2008093297.tif 000025
【図２４】
2008093297.tif 000026
【図２５】
2008093297.tif 000027
【図２６】
2008093297.tif 000028